(57)【要約】      （修正有）【課題】データセンターのラックおよびサーバー設置で短時間に電力供給可能とする電力システムを提供する。【解決手段】データセンター電力システム１００は、通電している導体表面１２４を含み、データセンターの、人が使用できる作業空間１０４の全体に電源からの直流電力を送るように構成される電力導体１１４と、人が使用できる作業空間に電力導体とは離れて配置された接地導体１１８と、複数の電子装置１３６を支持するデータセンターラック１０６に取り付けられるように構成されたコネクタ１３８と、電力導体の通電している導体表面に電気的に接触するように動作可能な電気コネクタ１２２と、ラック上に配置され、接地導体と電気的に接触するように構成された導電性キャスター１４０とを備える。【選択図】図１Ｃ
2020124110.tif 000002
【特許請求の範囲】
【請求項１】
通電している導体表面を含み、データセンターの、人が使用できる作業空間の全体に電源からの直流電力を送るように構成される電力導体と、
前記人が使用できる作業空間において前記電力導体とは離れて配置される接地導体と、
前記電力導体の前記通電している導体表面に電気的に接触するように移動可能であって、複数の電子装置を支持するデータセンターラックに取り付けられるように構成された第１の電気コネクタと、
前記ラック上に配置され、前記接地導体に電気的に接触するように構成された第２電気導体とを備える、データセンター電力システム。
【請求項２】
前記通電している導体表面の少なくとも一部は、前記人が使用できる作業空間に露出している、請求項１に記載のデータセンター電力システム。
【請求項３】
前記通電している導体表面は、カテナリー導体を含み、前記第１の電気コネクタは、前記データセンターラックの上部に取り付けられるように構成される、請求項２に記載のデータセンター電力システム。
【請求項４】
前記通電している導体表面は、前記データセンターの床に取り付けられるように構成されたレールを含み、前記第１の電気コネクタは、前記データセンターラックの下部に取り付けられるように構成される、請求項２に記載のデータセンター電力システム。
【請求項５】
前記接地導体は、前記データセンターの前記床内に埋め込み可能である、請求項４に記載のデータセンター電力システム。
【請求項６】
前記通電している導体表面は、メッシュまたは平坦な導体表面を含む、請求項１に記載のデータセンター電力システム。
【請求項７】
前記メッシュまたは平坦な導体表面は、前記人が使用できる作業空間を少なくとも部分的に囲む天井構造の少なくとも一部を含む、請求項６に記載のデータセンター電力システム。
【請求項８】
前記メッシュの導体表面は、前記人が使用できる作業空間を少なくとも部分的に囲む天井構造に埋め込まれた、または取り付けられた、格子状の十字に交差配置された電気導体を含む、請求項６に記載のデータセンター電力システム。
【請求項９】
前記第１の電気コネクタは、前記データセンターラックから遠ざかるように移動して前記電力導体の前記通電している導体表面に電気的に接触するように付勢される、請求項１に記載のデータセンター電力システム。
【請求項１０】
前記第１の電気コネクタは、パンタグラフを含む、請求項９に記載のデータセンター電力システム。
【請求項１１】
前記電力導体は、第１の電力導体を含み、前記システムは、前記データセンターの前記人が使用できる作業空間の全体に前記電源からの直流電力を送るように構成された第２の電力導体をさらに備え、前記第２の電力導体は、通電している導体表面を含み、前記第１の電気コネクタは、前記第２の電力導体の前記通電している導体表面に電気的に接触するように移動可能である、請求項１に記載のデータセンター電力システム。
【請求項１２】
前記第１の電気コネクタは、前記第１および第２の電力導体の前記通電している導体表
面に同時に電気的に接触するように移動可能である、請求項１に記載のデータセンター電力システム。
【請求項１３】
データセンターラックに直流電力を送電する方法であって、
データセンターの、人が使用できる作業空間の全体に延在する電力導体に、データセンター電源から直流電力を提供するステップと、
前記人が使用できる作業空間の前記電力導体の近くの位置にデータセンターラックを移動させるステップと、
前記位置に前記データセンターラックがあることに基づいて、前記データセンターラック上に取り付けられた第１の電気コネクタを移動させて、前記電力導体の通電している導体表面に電気的に接触させるステップと、
前記位置に前記データセンターラックがあることに基づいて、前記人が使用できる作業空間において前記電力導体とは離れて配置される接地導体を、前記ラック上に位置する第２電気導体に電気的に接触させて電力回路を完成させるステップと、
前記完成した電力回路に基づいて、前記データセンターラックによって支持される複数の電子装置に前記電力導体からの直流電力を提供するステップとを含む、方法。
【請求項１４】
前記電力導体は、カテナリー導体を含み、前記第１の電気コネクタを移動させるステップは、前記第１の電気コネクタを、前記データセンターラックの上部から遠ざかるように移動させて、前記データセンターラックの前記上部の上方において前記人が使用できる作業空間の全体に露出および延在する前記カテナリー導体に電気的に接触させるステップを含む、請求項１３に記載の方法。
【請求項１５】
前記電力導体は、前記データセンターの床に取り付けられたレール導体を含み、前記第１の電気コネクタを移動させるステップは、前記第１の電気コネクタを前記データセンターラックの下部から遠ざかるように移動させて、前記データセンターラックの下方において前記人が使用できる作業空間の全体に露出および延在する前記レール導体に電気的に接触させるステップを含む、請求項１３に記載の方法。
【請求項１６】
前記接地導体は、前記データセンターの前記床内に埋め込まれている、請求項１５に記載の方法。
【請求項１７】
前記通電している導体表面は、メッシュまたは平坦な導体表面を含む、請求項１３に記載の方法。
【請求項１８】
前記メッシュまたは平坦な導体表面は、前記人が使用できる作業空間を少なくとも部分的に囲む天井構造の少なくとも一部を含む、請求項１７に記載の方法。
【請求項１９】
前記メッシュの導体表面は、前記人が使用できる作業空間を少なくとも部分的に囲む天井構造に埋め込まれた、または取り付けられた、格子状の十字に交差配置された電気導体を含む、請求項１８に記載の方法。
【請求項２０】
前記第１の電気コネクタを移動させるステップは、前記第１の電気コネクタを前記データセンターラックから遠ざかるように付勢して前記電力導体の前記通電している導体表面を付勢装置と電気的に接触させるステップを含む、請求項１３に記載の方法。
【請求項２１】
前記付勢装置は、パンタグラフを含む、請求項２０に記載の方法。
【請求項２２】
前記電力導体は、第１の電力導体を含み、
データセンターの前記人が使用できる作業空間の全体に延在する第２の電力導体に、前
記データセンター電源からの直流電力を提供するステップと、
前記位置に前記データセンターラックがあることに基づいて、前記第１の電気コネクタを移動させて、前記第１または第２の電力導体のうちの少なくとも１つの、通電している導体表面と電気的に接触させるステップとをさらに含む、請求項１３に記載の方法。
【請求項２３】
内部ボリュームを規定するエンクロージャと、
前記内部ボリュームに取り付けられ、前記エンクロージャから外部に延在して主電力供給源と電気的に連結する第１の直流電力バスと、
前記内部ボリュームに取り付けられ、前記エンクロージャから外部に延在して前記主電力供給源に電気的に連結する第２の直流電力バスと、
前記内部ボリュームに取り付けられ、前記第１の直流電力バスまたは前記第２の直流電力バスの一方に各々が電気的に連結される複数の切替スイッチと、
前記第１の直流電力バスに電気的に連結された１つの切替スイッチおよび前記第２の直流電力バスに電気的に連結された１つの切替スイッチから構成される一対の切替スイッチに各々が電気的に連結された複数の直流電力導体とを備え、各直流電力導体は、複数の電子装置を支持するデータセンターラックに電気的に連結するように構成される、データセンター電力システム。
【請求項２４】
前記複数の切替スイッチの少なくとも一部は、自動切替スイッチを含む、請求項２３に記載のデータセンター電力システム。
【請求項２５】
前記複数の切替スイッチの少なくとも一部は、ヒューズの付いた接触子を含む、請求項２３に記載のデータセンター電力システム。
【請求項２６】
前記主電力供給源は、電力変換装置を通して、前記第１および第２の直流電力バスに電気的に連結されている、請求項２３に記載のデータセンター電力システム。
【請求項２７】
前記主電力供給源は、電力系統電源または予備電源の少なくとも一方を含む、請求項２６に記載のデータセンター電力システム。
【請求項２８】
前記予備電源は、発電機電源または再生可能電源の少なくとも一方を含む、請求項２７に記載のデータセンター電力システム。
【請求項２９】
前記エンクロージャの中において、前記第１の直流電力バスと前記第２の直流電力バスとは分離されている、請求項２３に記載のデータセンター電力システム。
【請求項３０】
データセンターラックに直流電力を送電する方法であって、
エンクロージャの内部ボリュームに取り付けられた第１の直流電力バスに、主電力供給源からの直流電力を提供するステップと、
前記エンクロージャの前記内部ボリュームに取り付けられた第２の直流電力バスに、前記主電力供給源からの直流電力を提供するステップと、
前記内部ボリュームに取り付けられた第１の複数の切替スイッチに、前記第１の直流電力バスから前記直流電力を送るステップと、
前記内部ボリュームに取り付けられた、前記第１の複数の切替スイッチを含まない第２の複数の切替スイッチに、前記第２の直流電力バスから前記直流電力を送るステップと、
（ｉ）前記第１の複数の切替スイッチのうちの１つからの直流電力、または（ｉｉ）前記第２の複数の切替スイッチのうちの１つからの直流電力を、複数の電子装置を支持するデータセンターラックに電気的に連結された直流電力導体に供給するステップと、
前記供給された直流電力を用いて前記複数の電子装置に電力を提供するステップとを含む、方法。
【請求項３１】
前記複数の切替スイッチの各々は、自動切替スイッチを含む、請求項３０に記載の方法。
【請求項３２】
前記複数の切替スイッチの各々は、ヒューズの付いた接触子を含む、請求項３０に記載の方法。
【請求項３３】
前記主電力供給源は、交流電力を含み、前記第１の直流電力バスおよび前記第２の直流電力バスに前記直流電力を提供する前に前記交流電力を前記直流電力に変換するステップをさらに含む、請求項３０に記載の方法。
【請求項３４】
前記主電力供給源は、電力系統電源または予備電源の少なくとも一方を含む、請求項３０に記載の方法。
【請求項３５】
前記第１および第２の直流電力バスを、電力変換装置を通して、前記電力系統電源および前記予備電源に電気的に連結するステップをさらに含む、請求項３４に記載の方法。
【請求項３６】
前記商用電力系統からの主電力の喪失を検出するステップと、
前記検出された喪失に基づいて、前記第１および第２の直流電力バスに前記商用電力系統から直流電力を提供することから、前記第１および第２の直流電力バスに前記予備電源から直流電力を提供することに切り替えるステップとをさらに含む、請求項３５に記載の方法。
【請求項３７】
前記第１または第２の直流電力バスの一方を前記主電力供給源から電気的に連結解除するステップと、
前記第１または第２の直流電力バスの前記一方のメンテナンスを行うステップと、
メンテナンスを行うことと同時に、前記第１または第２の複数の切替スイッチのそれぞれを通して、前記第１または第２の直流電力バスの他方から前記直流電力導体に前記直流電力を送るステップとをさらに含む、請求項３０に記載の方法。
【請求項３８】
エンクロージャと、
前記エンクロージャの中に取り付けられ、前記エンクロージャから外部に延在して主電力供給源と電気的に連結する第１の直流電力バスと、
前記エンクロージャの中に取り付けられ、前記エンクロージャから外部に延在して前記主電力供給源に電気的に連結する第２の直流電力バスと、
前記エンクロージャの中に取り付けられ、前記第１の直流電力バスまたは前記第２の直流電力バスの一方に各々が電気的に連結される複数の切替スイッチと、
前記第１の直流電力バスに電気的に連結された１つの切替スイッチおよび前記第２の直流電力バスに電気的に連結された１つの切替スイッチから構成される一対の切替スイッチに各々が電気的に連結された複数の直流電力導体とを含む第１の直流配電盤モジュールと、
複数の電子装置を含み、少なくとも一部が前記第１の直流配電盤モジュールの特定の直流電力導体に電気的に連結された第１の複数のラックとを備える、データセンター電力システム。
【請求項３９】
エンクロージャと、
前記エンクロージャの中に取り付けられ、前記エンクロージャから外部に延在して主電力供給源と電気的に連結する第１の直流電力バスと、
前記エンクロージャの中に取り付けられ、前記エンクロージャから外部に延在して前記主電力供給源に電気的に連結する第２の直流電力バスと、
前記エンクロージャの中に取り付けられ、前記第１の直流電力バスまたは前記第２の直流電力バスの一方に各々が電気的に連結される複数の切替スイッチと、
前記第１の直流電力バスに電気的に連結された１つの切替スイッチおよび前記第２の直流電力バスに電気的に連結された１つの切替スイッチから構成される一対の切替スイッチに各々が電気的に連結された複数の直流電力導体とを含む第２の直流配電盤モジュールと、
複数の電子装置を含み、少なくとも一部が前記第２の直流配電盤モジュールの特定の直流電力導体に電気的に連結された第２の複数のラックとを備える、請求項３８に記載のデータセンター電力システム。
【請求項４０】
前記第２の複数のラックの別の一部の各々は、前記第１の直流配電盤モジュールの特定の直流電力導体に電気的に連結され、前記第１の複数のラックの別の一部の各々は、前記第２の直流配電盤モジュールの特定の直流電力導体に電気的に連結されている、請求項３９に記載のデータセンター電力システム。
【請求項４１】
前記第２の複数のラックの一部および前記第２の複数のラックの別の一部は、前記データセンターの複数のラック列のうちの別々の列に位置する、請求項４０に記載のデータセンター電力システム。
【請求項４２】
前記第１および第２の複数のラックの一部は、前記複数のラック列のうちの１つの特定の列に位置する、請求項４０に記載のデータセンター電力システム。
【請求項４３】
内部ボリュームを規定するコンジットと、
前記コンジットの前記内部ボリュームを通って延在し、データセンターの主電力供給源からの電力を、前記データセンターの、人が使用できる作業空間に配備されたラックに取り付けられた少なくとも１つの電子装置に送り、かつ、前記少なくとも１つの電子装置とデータセンター制御システムとの間でデータを送るように構成される少なくとも１つの導体とを備える、データセンター電力コネクタ。
【請求項４４】
前記少なくとも１つの導体は、直流電力を通すように構成された直流電気導体を含む、請求項４３に記載のデータセンター電力コネクタ。
【請求項４５】
前記直流電力は、１０００ボルト未満の電圧の直流電力を含む、請求項４４に記載のデータセンター電力コネクタ。
【請求項４６】
前記少なくとも１つの導体は、６００ボルト未満の電圧の交流電力を通すように構成された交流電気導体を含む、請求項４３に記載のデータセンター電力コネクタ。
【請求項４７】
前記少なくとも１つの導体は、送電線通信用導体を含む、請求項４３に記載のデータセンター電力コネクタ。
【請求項４８】
前記送電線通信用導体は、ＣＡＮバス，ＤＣ−ＬＩＮ（ＬＩＮ−ｂｕｓ  ｏｖｅｒ  ｐｏｗｅｒ  ｌｉｎｅ）、ＤＣ−ＢＵＳ、ＬｏｎＷｏｒｋｓ、またはＳＡＥ  Ｊ１７７２規格の送電線通信用導体のうちの１つを含む、請求項４７に記載のデータセンター電力コネクタ。
【請求項４９】
前記少なくとも１つの導体は、前記コンジットの中において連結されたデュアル導体を含み、前記デュアル導体の一方は電力を送電するように構成され、前記デュアル導体の他方はデータを伝送するように構成される、請求項４３に記載のデータセンター電力コネクタ。
【請求項５０】
前記データは、前記少なくとも１つの電子装置の識別子を含む、請求項４３に記載のデータセンター電力コネクタ。
【請求項５１】
データセンターの主電力供給源に電気的に連結されたデータセンター電力制御システムと、
前記データセンター電力制御システムに通信可能および電気的に連結された複数の電力コネクタとを備え、前記複数の電力コネクタの各々は、（ｉ）前記主電力供給源から前記データセンターの、人が使用できる作業空間に配備されたラックに取り付けられた複数の電子装置に電力を送り、かつ、（ｉｉ）前記複数の電子装置と前記データセンター電力制御システムとの間でデータを送るように構成された電力導体を含む、データセンター電力接続システム。
【請求項５２】
前記データセンター電力制御システムは、
少なくとも１つのプロセッサと、
命令を格納した少なくとも１つのメモリとを備え、前記命令は、前記少なくとも１つのプロセッサによって実行されると、前記少なくとも１つのプロセッサに動作を実行させ、前記動作は、
前記複数の電子装置から、前記電力導体を通して、前記複数の電子装置に対応付けられた識別情報を含むデータを受信することと、
前記受信した識別情報の少なくとも一部に基づいて前記データセンターの少なくとも１つの仮想モデルを生成することとを含む、請求項５１に記載のデータセンター電力接続システム。
【請求項５３】
前記識別情報は、前記複数の電子装置のうちの特定の電子装置の名前、型番、または製造番号のうちの少なくとも１つを含む、請求項５２に記載のデータセンター電力接続システム。
【請求項５４】
前記識別情報は、前記複数のラックのうち、前記複数の電子装置の少なくとも一部を支持する特定のラックのラック名称または名前のうちの少なくとも１つを含む、請求項５２に記載のデータセンター電力接続システム。
【請求項５５】
前記複数の仮想モデルのうちの１つは、地理的トポロジーモデルを含み、前記受信した識別情報の少なくとも一部に基づいて前記データセンターの少なくとも１つの仮想モデルを生成することは、
前記複数のラックのラックごとに、
前記人が使用できる作業空間における前記ラックの地理的位置を判断することと、
前記受信した識別情報の少なくとも一部に基づいて、前記複数の電子装置の一部を前記ラックに割り当てることと、
前記ラックの前記判断された地理的位置に前記割り当てられた電子装置の一部を割り当てることとによって前記地理的トポロジーモデルを生成することを含む、請求項５２に記載のデータセンター電力接続システム。
【請求項５６】
前記複数の仮想モデルのうちの１つは、冷却トポロジーモデルを含み、前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数の冷却ドメインのうち、前記ラックの前記地理的位置に対
応付けられた冷却ドメインを判断することと、
前記ラックを前記判断された冷却ドメインに割り当てることとによって前記冷却トポロジーモデルを生成することを含み、前記冷却ドメインは、前記ラックで支持される前記電子装置を冷却するように動作する少なくとも１つの冷却装置を含む、請求項５２に記載のデータセンター電力接続システム。
【請求項５７】
前記複数の仮想モデルのうちの１つは、電力トポロジーモデルを含み、前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数のパワードメインのうち、前記ラックの前記地理的位置に対応付けられたパワードメインを判断することと、
前記ラックを前記判断されたパワードメインに割り当てることとによって前記電力トポロジーモデルを生成することを含み、前記パワードメインは、前記ラックで支持される前記電子装置に電力を送電するように動作する少なくとも１つの電力装置を含む、請求項５２に記載のデータセンター電力接続システム。
【請求項５８】
前記複数の仮想モデルのうちの１つは、ネットワークトポロジーモデルを含み、前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数のネットワークドメインのうち、前記ラックの前記地理的位置に対応付けられたネットワークドメインを判断することと、
前記ラックを前記判断されたネットワークドメインに割り当てることとによって前記ネットワークトポロジーモデルを生成することを含み、前記ネットワークドメインは、前記ラックで支持される前記電子装置を前記データセンターのネットワークに通信可能に連結するように動作する少なくとも１つのネットワーク装置を含む、請求項５２に記載のデータセンター電力接続システム。
【請求項５９】
前記受信したデータは、第１時刻に前記電力導体を通して前記複数の電子装置から受信したデータを含み、前記動作は、
前記第１時刻の後の第２時刻に前記電力導体を通して前記複数の電子装置から受信した、前記複数の電子装置に対応付けられた更新された識別情報を含む追加データを受信することと、
前記受信した更新された識別情報の少なくとも一部に基づいて、前記データセンターの前記少なくとも１つの仮想モデルを更新することとをさらに含む、請求項５２に記載のデータセンター電力接続システム。
【請求項６０】
データセンターの電子装置に電力を提供するための方法であって、
データセンターの電力制御システムを通して、複数の電力コネクタを前記データセンターの電力供給源に電気的に連結するステップと、
前記複数の電力コネクタのそれぞれの導体を通して、前記電力供給源からの電力を前記データセンターの複数の電子装置に送電するステップと、
前記それぞれの導体を通して、データを前記複数の電子装置から前記電力制御システムに伝送するステップとを含む、方法。
【請求項６１】
前記電力供給源は、直流電力の供給源を含み、前記送電された電力は、直流電力を含む、請求項６０に記載の方法。
【請求項６２】
前記データは、前記複数の電子装置に対応付けられた識別情報を含み、前記電力制御システムの少なくとも１つのハードウェアプロセッサとともに、前記識別情報の少なくとも一部に基づいて前記データセンターの少なくとも１つの仮想モデルを生成するステップをさらに含む、請求項６０に記載の方法。
【請求項６３】
前記少なくとも１つの仮想モデルは、地理的トポロジーモデルを含み、
前記人が使用できる作業空間の複数のラックの各々の地理的位置を判断するステップと、
前記受信した識別情報の少なくとも一部に基づいて、前記複数の電子装置の一部を各ラックに割り当てるステップと、
前記ラックの前記判断された地理的位置を前記割り当てられた電子装置の一部に割り当てるステップとをさらに含む、請求項６２に記載の方法。
【請求項６４】
前記少なくとも１つの仮想モデルは、冷却トポロジーモデルを含み、
前記識別情報の少なくとも一部に基づいて前記人が使用できる作業空間の複数のラックの各々の地理的位置を判断するステップと、
前記データセンターの複数の冷却ドメインのうち、各ラックの前記地理的位置に対応付けられた冷却ドメインを判断するステップと、
前記ラックを前記判断された冷却ドメインに割り当てるステップとをさらに含み、前記冷却ドメインは、前記ラックで支持される前記電子装置を冷却するように動作する少なくとも１つの冷却装置を含む、請求項６２に記載の方法。
【請求項６５】
前記少なくとも１つの仮想モデルは、電力トポロジーモデルを含み、
前記識別情報の少なくとも一部に基づいて、前記人が使用できる作業空間の複数のラックの各々の地理的位置を判断するステップと、
前記データセンターの複数のパワードメインのうち、各ラックの前記地理的位置と対応付けられたパワードメインを判断するステップと、
前記ラックを前記判断されたパワードメインに割り当てるステップとをさらに含み、前記パワードメインは、前記ラックで支持される前記電子装置に前記電力を送電するように動作する少なくとも１つの電力装置を含む、請求項６２に記載の方法。
【請求項６６】
前記少なくとも１つの仮想モデルは、ネットワークトポロジーモデルを含み、
前記識別情報の少なくとも一部に基づいて、前記人が使用できる作業空間の複数のラックの各々の地理的位置を判断するステップと、
前記データセンターの複数のネットワークドメインのうち、各ラックの前記地理的位置に対応付けられたネットワークドメインを判断するステップと、
前記ラックを前記判断されたネットワークドメインに割り当てるステップとをさらに含み、前記ネットワークドメインは、前記ラックで支持される前記電子装置を前記データセンターのネットワークに通信可能に連結するように動作する少なくとも１つのネットワーク装置を含む、請求項６２に記載の方法。
【請求項６７】
前記複数の電力コネクタの各々は、前記電力供給源から前記データセンターの前記複数の電子装置の少なくとも一部に電力を送電するように構成された第１導体と、前記複数の電子装置の一部から前記電力制御システムにデータを伝送するように構成された第２導体とを含む、請求項６２に記載の方法。
【発明の詳細な説明】
【技術分野】
【０００１】
技術分野
本開示は、データセンターにおける、サーバー、ネットワーク機器、およびその他の電子装置など、電子装置に電力を供給するためのシステムおよび方法に関する。
【背景技術】
【０００２】
背景
データセンターを稼働させるための計画、建設、および配備には、通常、市場に投入するまでの長い時間的要素が含まれる。商用データセンターを市場に投入するまでにかかる時間（ｔｉｍｅ  ｔｏ  ｍａｒｋｅｔ）を短くすることは、経済的に成功するための、企業の大きな原動力であり得る。市場に投入するまでに長い時間がかかってしまう原因の１つとして、完成したデータセンタービルにラックおよびサーバーを配備することがある。従来、データセンターＩＴ（Ｉｎｆｏｒｍａｔｉｏｎ  Ｔｅｃｈｎｏｌｏｇｙ）アーキテクチャ、ラック、およびサーバーは、物理的に設置されて、ケーブル接続されて、電源が投入される必要がある。ラックおよびサーバーを物理的に設置して電力を供給する間、機械的誤差および人為ミスがあり得る。
【発明の概要】
【課題を解決するための手段】
【０００３】
概要
一般的な実装形態では、データセンター電力システムは、通電している導体表面を含み、データセンターの、人が使用できる作業空間の全体に電源からの直流電力を送るように構成される電力導体と、人が使用できる作業空間において電力導体とは離れて配置される接地導体と、電力導体の通電している導体表面に電気的に接触するように移動可能であって、複数の電子装置を支持するデータセンターラックに取り付けられるように構成された第１の電気コネクタと、ラック上に配置され、接地導体に電気的に接触するように構成された第２電気導体とを備える。
【０００４】
一般的な実装形態では、データセンター電力システムは、内部ボリュームを規定するエンクロージャと、内部ボリュームに取り付けられ、エンクロージャから外部に延在して主電力供給源と電気的に連結する第１の直流電力バスと、内部ボリュームに取り付けられ、エンクロージャから外部に延在して主電力供給源に電気的に連結する第２の直流電力バスと、内部ボリュームに取り付けられ、第１の直流電力バスまたは第２の直流電力バスの一方に各々が電気的に連結される複数の切替スイッチと、第１の直流電力バスに電気的に連結された１つの切替スイッチおよび第２の直流電力バスに電気的に連結された１つの切替スイッチから構成される一対の切替スイッチに各々が電気的に連結された複数の直流電力導体とを備え、各直流電力導体は、複数の電子装置を支持するデータセンターラックに電気的に連結するように構成される。
【０００５】
一般的な実装形態では、データセンター電力コネクタは、内部ボリュームを規定するコンジットと、コンジットの内部ボリュームを通って延在し、データセンターの主電力供給源からの電力を、データセンターの、人が使用できる作業空間に配備されたラックに取り付けられた少なくとも１つの電子装置に送り、かつ、少なくとも１つの電子装置とデータセンター制御システムとの間でデータを送るように構成される少なくとも１つの導体とを備える。
【０００６】
一般的な実装形態と組み合わせ可能な態様では、通電している導体表面の少なくとも一
部は、人が使用できる作業空間に露出している。
【０００７】
前述の態様のうちのいずれかと組み合わせ可能な別の態様では、通電している導体表面は、カテナリー導体を含み、第１の電気コネクタは、データセンターラックの上部に取り付けられるように構成される。
【０００８】
前述の態様のうちのいずれかと組み合わせ可能な別の態様では、通電している導体表面は、データセンターの床に取り付けられるように構成されたレールを含み、第１の電気コネクタは、データセンターラックの下部に取り付けられるように構成される。
【０００９】
前述の態様のうちのいずれかと組み合わせ可能な別の態様では、接地導体は、データセンターの床内に埋め込み可能である。
【００１０】
前述の態様のうちのいずれかと組み合わせ可能な別の態様では、通電している導体表面は、メッシュまたは平坦な導体表面を含む。
【００１１】
前述の態様のうちのいずれかと組み合わせ可能な別の態様では、メッシュまたは平坦な導体表面は、人が使用できる作業空間を少なくとも部分的に囲む天井構造の少なくとも一部を含む。
【００１２】
前述の態様のうちのいずれかと組み合わせ可能な別の態様では、メッシュの導体表面は、人が使用できる作業空間を少なくとも部分的に囲む天井構造に埋め込まれた、または取り付けられた、格子状の十字に交差配置された電気導体を含む。
【００１３】
前述の態様のうちのいずれかと組み合わせ可能な別の態様では、第１の電気コネクタは、データセンターラックから遠ざかるように移動して電力導体の通電している導体表面に電気的に接触するように付勢される。
【００１４】
前述の態様のうちのいずれかと組み合わせ可能な別の態様では、第１の電気コネクタは、パンタグラフを含む。
【００１５】
前述の態様のうちのいずれかと組み合わせ可能な別の態様では、電力導体は、第１の電力導体を含む。
【００１６】
前述の態様のうちのいずれかと組み合わせ可能な別の態様は、データセンターの、人が使用できる作業空間の全体に電源からの直流電力を送るように構成された第２の電力導体をさらに備える。
【００１７】
前述の態様のうちのいずれかと組み合わせ可能な別の態様では、第２の電力導体は、通電している導体表面を含み、第１の電気コネクタは、第２の電力導体の通電している導体表面に電気的に接触するように移動可能である。
【００１８】
前述の態様のうちのいずれかと組み合わせ可能な別の態様では、第１の電気コネクタは、第１および第２の電力導体の通電している導体表面に同時に電気的に接触するように移動可能である。
【００１９】
一般的な実装形態と組み合わせ可能な態様では、複数の切替スイッチの少なくとも一部は、自動切替スイッチを含む。
【００２０】
前述の態様のうちのいずれかと組み合わせ可能な別の態様では、複数の切替スイッチの
少なくとも一部は、ヒューズの付いた接触子を含む。
【００２１】
前述の態様のうちのいずれかと組み合わせ可能な別の態様では、主電力供給源は、電力変換装置を通して、第１および第２の直流電力バスに電気的に連結されている。
【００２２】
前述の態様のうちのいずれかと組み合わせ可能な別の態様では、主電力供給源は、電力系統電源または予備電源の少なくとも一方を含む。
【００２３】
前述の態様のうちのいずれかと組み合わせ可能な別の態様では、予備電源は、発電機電源または再生可能電源の少なくとも一方を含む。
【００２４】
前述の態様のうちのいずれかと組み合わせ可能な別の態様では、エンクロージャの中において、第１の直流電力バスと第２の直流電力バスとは分離されている。
【００２５】
一般的な実装形態と組み合わせ可能な態様では、少なくとも１つの導体は、直流電力を通すように構成された直流電気導体を含む。
【００２６】
前述の態様のうちのいずれかと組み合わせ可能な別の態様では、直流電力は、１０００ボルト未満の電圧の直流電力を含む。
【００２７】
前述の態様のうちのいずれかと組み合わせ可能な別の態様では、少なくとも１つの導体は、６００ボルト未満の電圧の交流電力を通すように構成された交流電気導体を含む。
【００２８】
前述の態様のうちのいずれかと組み合わせ可能な別の態様では、少なくとも１つの導体は、送電線通信用導体を含む。
【００２９】
前述の態様のうちのいずれかと組み合わせ可能な別の態様では、送電線通信用導体は、ＣＡＮバス，ＤＣ−ＬＩＮ（ＬＩＮ−ｂｕｓ  ｏｖｅｒ  ｐｏｗｅｒ  ｌｉｎｅ）、ＤＣ−ＢＵＳ、ＬｏｎＷｏｒｋｓ、またはＳＡＥ  Ｊ１７７２規格の送電線通信用導体のうちの１つを含む。
【００３０】
前述の態様のうちのいずれかと組み合わせ可能な別の態様では、少なくとも１つの導体は、コンジットの中において連結されたデュアル導体を含み、デュアル導体の一方は電力を送電するように構成され、デュアル導体の他方はデータを伝送するように構成される。
【００３１】
前述の態様のうちのいずれかと組み合わせ可能な別の態様では、データは、少なくとも１つの電子装置の識別子を含む。
【００３２】
別の一般的な実装形態では、直流電力をデータセンターラックに送電する方法は、データセンターの、人が使用できる作業空間の全体に延在する電力導体に、データセンター電源から直流電力を提供するステップと、人が使用できる作業空間の電力導体の近くの位置にデータセンターラックを移動させるステップと、上記位置にデータセンターラックがあることに基づいて、データセンターラック上に取り付けられた第１の電気コネクタを移動させて、電力導体の通電している導体表面に電気的に接触させるステップと、上記位置にデータセンターラックがあることに基づいて、人が使用できる作業空間において電力導体とは離れて配置される接地導体を、ラック上に位置する第２電気導体に電気的に接触させて電力回路を完成させるステップと、完成した電力回路に基づいて、データセンターラックによって支持される複数の電子装置に電力導体からの直流電力を提供するステップとを含む。
【００３３】
一般的な実装形態と組み合わせ可能な態様では、電力導体は、カテナリー導体を含み、第１の電気コネクタを移動させるステップは、第１の電気コネクタを、データセンターラックの上部から遠ざかるように移動させて、データセンターラックの上部の上方において人が使用できる作業空間の全体に露出および延在するカテナリー導体に電気的に接触させるステップを含む。
【００３４】
前述の態様のうちのいずれかと組み合わせ可能な別の態様では、電力導体は、データセンターの床に取り付けられたレール導体を含み、第１の電気コネクタを移動させるステップは、第１の電気コネクタをデータセンターラックの下部から遠ざかるように移動させて、データセンターラックの下方において人が使用できる作業空間の全体に露出および延在するレール導体に電気的に接触させるステップを含む。
【００３５】
前述の態様のうちのいずれかと組み合わせ可能な別の態様では、接地導体は、データセンターの床内に埋め込まれている。
【００３６】
前述の態様のうちのいずれかと組み合わせ可能な別の態様では、通電している導体表面は、メッシュまたは平坦な導体表面を含む。
【００３７】
前述の態様のうちのいずれかと組み合わせ可能な別の態様では、メッシュまたは平坦な導体表面は、人が使用できる作業空間を少なくとも部分的に囲む天井構造の少なくとも一部を含む。
【００３８】
前述の態様のうちのいずれかと組み合わせ可能な別の態様では、メッシュの導体表面は、人が使用できる作業空間を少なくとも部分的に囲む天井構造に埋め込まれた、または取り付けられた、格子状の十字に交差配置された電気導体を含む。
【００３９】
前述の態様のうちのいずれかと組み合わせ可能な別の態様は、第１の電気コネクタを移動させるステップは、第１の電気コネクタをデータセンターラックから遠ざかるように付勢して電力導体の通電している導体表面を付勢装置と電気的に接触させるステップを含むことをさらに含む。
【００４０】
前述の態様のうちのいずれかと組み合わせ可能な別の態様では、付勢装置は、パンタグラフを含む。
【００４１】
前述の態様のうちのいずれかと組み合わせ可能な別の態様では、電力導体は、第１の電力導体を含む。
【００４２】
前述の態様のうちのいずれかと組み合わせ可能な別の態様は、データセンターの、人が使用できる作業空間の全体に延在する第２の電力導体に、データセンター電源からの直流電力を提供するステップと、前記位置にデータセンターラックがあることに基づいて、第１の電気コネクタを移動させて、第１または第２の電力導体のうちの少なくとも１つの、通電している導体表面と電気的に接触させるステップとをさらに含む。
【００４３】
別の一般的な実装形態では、データセンターラックに直流電力を送電する方法は、エンクロージャの内部ボリュームに取り付けられた第１の直流電力バスに、主電力供給源からの直流電力を提供するステップと、エンクロージャの内部ボリュームに取り付けられた第２の直流電力バスに、主電力供給源からの直流電力を提供するステップと、内部ボリュームに取り付けられた第１の複数の切替スイッチに、第１の直流電力バスから直流電力を送るステップと、内部ボリュームに取り付けられた、第１の複数の切替スイッチを含まない第２の複数の切替スイッチに、第２の直流電力バスから直流電力を送るステップと、（ｉ
）第１の複数の切替スイッチのうちの１つからの直流電力、または（ｉｉ）第２の複数の切替スイッチのうちの１つからの直流電力を、複数の電子装置を支持するデータセンターラックに電気的に連結された直流電力導体に供給するステップと、供給された直流電力を用いて複数の電子装置に電力を提供するステップとを含む。
【００４４】
一般的な実装形態と組み合わせ可能な態様では、複数の切替スイッチの各々は、自動切替スイッチを含む。
【００４５】
前述の態様のうちのいずれかと組み合わせ可能な別の態様では、複数の切替スイッチの各々は、ヒューズの付いた接触子を含む。
【００４６】
前述の態様のうちのいずれかと組み合わせ可能な別の態様では、主電力供給源は、交流電力を含み、第１の直流電力バスおよび第２の直流電力バスに直流電力を提供する前に交流電力を直流電力に変換するステップをさらに含む。
【００４７】
前述の態様のうちのいずれかと組み合わせ可能な別の態様では、主電力供給源は、電力系統電源または予備電源の少なくとも一方を含む。
【００４８】
前述の態様のうちのいずれかと組み合わせ可能な別の態様は、第１および第２の直流電力バスを、電力変換装置を通して、電力系統電源および予備電源に電気的に連結するステップをさらに含む。
【００４９】
前述の態様のうちのいずれかと組み合わせ可能な別の態様は、商用電力系統からの主電力の喪失を検出するステップと、検出された喪失に基づいて、第１および第２の直流電力バスに商用電力系統から直流電力を提供することから、第１および第２の直流電力バスに予備電源から直流電力を提供することに切り替えるステップとをさらに含む。
【００５０】
前述の態様のうちのいずれかと組み合わせ可能な別の態様は、第１または第２の直流電力バスの一方を主電力供給源から電気的に連結解除するステップと、第１または第２の直流電力バスの一方のメンテナンスを行うステップと、メンテナンスを行うことと同時に、第１または第２の複数の切替スイッチのそれぞれを通して、第１または第２の直流電力バスの他方から直流電力導体に直流電力を送るステップとをさらに含む。
【００５１】
別の一般的な実装形態では、データセンター電力接続システムは、データセンターの主電力供給源に電気的に連結されたデータセンター電力制御システムと、データセンター電力制御システムに通信可能および電気的に連結された複数の電力コネクタとを備え、複数の電力コネクタの各々は、（ｉ）主電力供給源からデータセンターの、人が使用できる作業空間に配備されたラックに取り付けられた複数の電子装置に電力を送り、かつ、（ｉｉ）複数の電子装置とデータセンター電力制御システムとの間でデータを送るように構成された電力導体を含む。
【００５２】
一般的な実装形態と組み合わせ可能な態様では、データセンター電力制御システムは、少なくとも１つのプロセッサと、命令を格納した少なくとも１つのメモリとを備え、命令は、少なくとも１つのプロセッサによって実行されると、少なくとも１つのプロセッサに動作を実行させ、動作は、複数の電子装置から、電力導体を通して、複数の電子装置に対応付けられた識別情報を含むデータを受信することと、受信した識別情報の少なくとも一部に基づいてデータセンターの少なくとも１つの仮想モデルを生成することとを含む。
【００５３】
前述の態様のうちのいずれかと組み合わせ可能な別の態様では、識別情報は、複数の電子装置のうちの特定の電子装置の名前、型番、または製造番号のうちの少なくとも１つを
含む。
【００５４】
前述の態様のうちのいずれかと組み合わせ可能な別の態様では、識別情報は、複数のラックのうち、複数の電子装置の少なくとも一部を支持する特定のラックのラック名称または名前のうちの少なくとも１つを含む。
【００５５】
前述の態様のうちのいずれかと組み合わせ可能な別の態様では、複数の仮想モデルのうちの１つは、地理的トポロジーモデルを含む。
【００５６】
前述の態様のうちのいずれかと組み合わせ可能な別の態様では、受信した識別情報の少なくとも一部に基づいてデータセンターの少なくとも１つの仮想モデルを生成することは、複数のラックのラックごとに、人が使用できる作業空間におけるラックの地理的位置を判断することと、受信した識別情報の少なくとも一部に基づいて、複数の電子装置の一部をラックに割り当てることと、ラックの判断された地理的位置に割り当てられた電子装置の一部を割り当てることとによって地理的トポロジーモデルを生成することを含む。
【００５７】
前述の態様のうちのいずれかと組み合わせ可能な別の態様では、複数の仮想モデルのうちの１つは、冷却トポロジーモデルを含む。
【００５８】
前述の態様のうちのいずれかと組み合わせ可能な別の態様では、受信した識別情報の少なくとも一部に基づいてデータセンターの少なくとも１つの仮想モデルを生成することは、複数のラックのラックごとに、受信した識別情報の少なくとも一部に基づいて、人が使用できる作業空間におけるラックの地理的位置を判断することと、データセンターの複数の冷却ドメインのうち、ラックの地理的位置に対応付けられた冷却ドメインを判断することと、ラックを判断された冷却ドメインに割り当てることとによって冷却トポロジーモデルを生成することを含み、冷却ドメインは、ラックで支持される電子装置を冷却するように動作する少なくとも１つの冷却装置を含む。
【００５９】
前述の態様のうちのいずれかと組み合わせ可能な別の態様では、複数の仮想モデルのうちの１つは、電力トポロジーモデルを含む。
【００６０】
前述の態様のうちのいずれかと組み合わせ可能な別の態様では、受信した識別情報の少なくとも一部に基づいてデータセンターの少なくとも１つの仮想モデルを生成することは、複数のラックのラックごとに、受信した識別情報の少なくとも一部に基づいて、人が使用できる作業空間におけるラックの地理的位置を判断することと、データセンターの複数のパワードメインのうち、ラックの地理的位置に対応付けられたパワードメインを判断することと、ラックを判断されたパワードメインに割り当てることとによって電力トポロジーモデルを生成することを含み、パワードメインは、ラックで支持される電子装置に電力を送電するように動作する少なくとも１つの電力装置を含む。
【００６１】
前述の態様のうちのいずれかと組み合わせ可能な別の態様では、複数の仮想モデルのうちの１つは、ネットワークトポロジーモデルを含む。
【００６２】
前述の態様のうちのいずれかと組み合わせ可能な別の態様では、受信した識別情報の少なくとも一部に基づいてデータセンターの少なくとも１つの仮想モデルを生成することは、複数のラックのラックごとに、受信した識別情報の少なくとも一部に基づいて、人が使用できる作業空間におけるラックの地理的位置を判断することと、データセンターの複数のネットワークドメインのうち、ラックの地理的位置に対応付けられたネットワークドメインを判断することと、ラックを判断されたネットワークドメインに割り当てることとによってネットワークトポロジーモデルを生成することを含み、ネットワークドメインは、
ラックで支持される電子装置をデータセンターのネットワークに通信可能に連結するように動作する少なくとも１つのネットワーク装置を含む。
【００６３】
前述の態様のうちのいずれかと組み合わせ可能な別の態様では、受信したデータは、第１時刻に電力導体を通して複数の電子装置から受信したデータを含む。
【００６４】
前述の態様のうちのいずれかと組み合わせ可能な別の態様では、動作は、第１時刻の後の第２時刻に電力導体を通して複数の電子装置から受信した、複数の電子装置に対応付けられた更新された識別情報を含む追加データを受信することと、受信した更新された識別情報の少なくとも一部に基づいて、データセンターの少なくとも１つの仮想モデルを更新することとをさらに含む。
【００６５】
別の一般的な実装形態では、データセンター電力システムは、エンクロージャと、エンクロージャの中に取り付けられ、エンクロージャから外部に延在して主電力供給源と電気的に連結する第１の直流電力バスと、エンクロージャの中に取り付けられ、エンクロージャから外部に延在して主電力供給源に電気的に連結する第２の直流電力バスと、エンクロージャの中に取り付けられ、第１の直流電力バスまたは第２の直流電力バスの一方に各々が電気的に連結される複数の切替スイッチと、第１の直流電力バスに電気的に連結された１つの切替スイッチおよび第２の直流電力バスに電気的に連結された１つの切替スイッチから構成される一対の切替スイッチに各々が電気的に連結された複数の直流電力導体とを含む第１の直流配電盤モジュールと、複数の電子装置を含み、少なくとも一部が第１の直流配電盤モジュールの特定の直流電力導体に電気的に連結された第１の複数のラックとを備える。
【００６６】
一般的な実装形態と組み合わせ可能な態様は、エンクロージャと、エンクロージャの中に取り付けられ、エンクロージャから外部に延在して主電力供給源と電気的に連結する第１の直流電力バスと、エンクロージャの中に取り付けられ、エンクロージャから外部に延在して主電力供給源に電気的に連結する第２の直流電力バスと、エンクロージャの中に取り付けられ、第１の直流電力バスまたは第２の直流電力バスの一方に各々が電気的に連結される複数の切替スイッチと、第１の直流電力バスに電気的に連結された１つの切替スイッチおよび第２の直流電力バスに電気的に連結された１つの切替スイッチから構成される一対の切替スイッチに各々が電気的に連結された複数の直流電力導体とを含む第２の直流配電盤モジュールをさらに含む。
【００６７】
前述の態様のうちのいずれかと組み合わせ可能な別の態様では、複数の電子装置を含み、少なくとも一部が第２の直流配電盤モジュールの特定の直流電力導体に電気的に連結された第２の複数のラック。
【００６８】
前述の態様のうちのいずれかと組み合わせ可能な別の態様では、第２の複数のラックの別の一部の各々は、第１の直流配電盤モジュールの特定の直流電力導体に電気的に連結され、第１の複数のラックの別の一部の各々は、第２の直流配電盤モジュールの特定の直流電力導体に電気的に連結されている。
【００６９】
前述の態様のうちのいずれかと組み合わせ可能な別の態様では、第２の複数のラックの一部および第２の複数のラックの別の一部は、データセンターの複数のラック列のうちの別々の列に位置する。
【００７０】
前述の態様のうちのいずれかと組み合わせ可能な別の態様では、第１および第２の複数のラックの一部は、複数のラック列のうちの１つの特定の列に位置する。
【００７１】
別の一般的な実装形態では、データセンターの電子装置に電力を提供するための方法は、データセンターの電力制御システムを通して、複数の電力コネクタをデータセンターの電力供給源に電気的に連結するステップと、複数の電力コネクタのそれぞれの導体を通して、電力供給源からの電力をデータセンターの複数の電子装置に送電するステップと、それぞれの導体を通して、データを複数の電子装置から電力制御システムに伝送するステップとを含む。
【００７２】
一般的な実装形態と組み合わせ可能な態様では、電力供給源は、直流電力の供給源を含み、送電された電力は、直流電力を含む。
【００７３】
前述の態様のうちのいずれかと組み合わせ可能な別の態様では、データは、複数の電子装置に対応付けられた識別情報を含む。
【００７４】
前述の態様のうちのいずれかと組み合わせ可能な別の態様は、電力制御システムの少なくとも１つのハードウェアプロセッサとともに、識別情報の少なくとも一部に基づいてデータセンターの少なくとも１つの仮想モデルを生成するステップをさらに含む。
【００７５】
前述の態様のうちのいずれかと組み合わせ可能な別の態様では、少なくとも１つの仮想モデルは、地理的トポロジーモデルを含む。
【００７６】
前述の態様のうちのいずれかと組み合わせ可能な別の態様は、人が使用できる作業空間の複数のラックの各々の地理的位置を判断するステップと、受信した識別情報の少なくとも一部に基づいて、複数の電子装置の一部を各ラックに割り当てるステップと、ラックの判断された地理的位置を割り当てられた電子装置の一部に割り当てるステップとをさらに含む。
【００７７】
前述の態様のうちのいずれかと組み合わせ可能な別の態様では、少なくとも１つの仮想モデルは、冷却トポロジーモデルを含む。
【００７８】
前述の態様のうちのいずれかと組み合わせ可能な別の態様は、識別情報の少なくとも一部に基づいて人が使用できる作業空間の複数のラックの各々の地理的位置を判断するステップと、データセンターの複数の冷却ドメインのうち、各ラックの地理的位置に対応付けられた冷却ドメインを判断するステップと、ラックを判断された冷却ドメインに割り当てるステップとをさらに含み、冷却ドメインは、ラックで支持される電子装置を冷却するように動作する少なくとも１つの冷却装置を含む。
【００７９】
前述の態様のうちのいずれかと組み合わせ可能な別の態様では、少なくとも１つの仮想モデルは、電力トポロジーモデルを含む。
【００８０】
前述の態様のうちのいずれかと組み合わせ可能な別の態様は、識別情報の少なくとも一部に基づいて、人が使用できる作業空間の複数のラックの各々の地理的位置を判断するステップと、データセンターの複数のパワードメインのうち、各ラックの地理的位置と対応付けられたパワードメインを判断するステップと、ラックを判断されたパワードメインに割り当てるステップとをさらに含み、パワードメインは、ラックで支持される電子装置に電力を送電するように動作する少なくとも１つの電力装置を含む。
【００８１】
前述の態様のうちのいずれかと組み合わせ可能な別の態様では、少なくとも１つの仮想モデルは、ネットワークトポロジーモデルを含む。
【００８２】
前述の態様のうちのいずれかと組み合わせ可能な別の態様は、識別情報の少なくとも一
部に基づいて、人が使用できる作業空間の複数のラックの各々の地理的位置を判断するステップと、データセンターの複数のネットワークドメインのうち、各ラックの地理的位置に対応付けられたネットワークドメインを判断するステップと、ラックを判断されたネットワークドメインに割り当てるステップとをさらに含み、ネットワークドメインは、ラックで支持される電子装置をデータセンターのネットワークに通信可能に連結するように動作する少なくとも１つのネットワーク装置を含む。
【００８３】
前述の態様のうちのいずれかと組み合わせ可能な別の態様では、電力コネクタの各々は、電力供給源からデータセンターの複数の電子装置の少なくとも一部に電力を送電するように構成された第１導体と、複数の電子装置の一部から電力制御システムにデータを伝送するように構成された第２導体とを含む。
【００８４】
本開示に係る実装形態は、下記の特徴のうちの１つ以上を含んでもよい。たとえば、本開示に係る実装形態は、データセンターの電子装置の配備、識別、棚卸し作業、およびメンテナンスを従来技術と比べて効率よく有意に行うことができるであろう。さらには、本開示に係る実装形態は、より安全でより速く、より柔軟性のある、データセンターの電子装置への送電を可能にするであろう。また、本開示に係る実装形態は、データセンターの電子装置への送電の余剰を増やすことを容易にするであろう。
【００８５】
本開示に記載する主題の１つ以上の実装形態の詳細を、添付の図面および以下の説明に記載する。主題のその他の特徴、態様、および利点は、説明、添付の図面、および特許請求の範囲から明らかになるであろう。
【図面の簡単な説明】
【００８６】
【図１Ａ】データセンター電力システムの例示的な実装形態を上から見た概略図である。
【図１Ｂ】データセンター電力システムの別の例示的な実装形態を上から見た概略図である。
【図１Ｃ】データセンター電力システムの例示的な実装形態を横から見た概略図である。
【図１Ｄ】データセンター電力システムの別の例示的な実装形態を横から見た概略図である。
【図２Ａ】データセンター電力システムの別の例示的な実装形態を上から見た概略図である。
【図２Ｂ】データセンター電力システムの別の例示的な実装形態を横から見た概略図である。
【図３Ａ】直流データセンター電力モジュールの概略図である。
【図３Ｂ】図３Ａの１つ以上の直流データセンター電力モジュールによって電力が供給されるラックを有するデータセンターの例示的な実装形態の概略図である。
【図３Ｃ】図３Ａの１つ以上の直流データセンター電力モジュールによって電力が供給されるラックを有するデータセンターの例示的な実装形態の概略図である。
【図４】電力およびデータを１つ以上のサーバーラック間で伝送するデータセンターの電源コネクタを利用する制御システムを備えるデータセンターの概略図である。
【図５】本開示に係るデータセンター冷却システムのための例示的なコントローラの概略図である。
【発明を実施するための形態】
【００８７】
詳細な説明
本開示では、データセンター電力システムのシステム、装置、および方法などの実装形態を説明する。いくつかの態様では、データセンター電力システムは、電力の１つ以上の
主電源から（たとえば、１つ以上の変圧器および／または１つ以上の整流器を経由して）直流電力をサーバーラックに供給して、ラックにおいて支持されている電子装置に電力を供給する直流電力提供システムを含む。いくつかの例示的な実装形態では、データセンター電力システムは、サーバーラックを囲むデータセンターの作業空間内に設置されたカテナリー導体など、オーバーヘッド導体（たとえば、配線またはバスバー）を含み、復路（接地）がデータセンターの床上に、またはラック支持構造の一部として提供される。いくつかの態様では、サーバーラックは、ラックを床上でキャスターで転がし、接地し、オーバーヘッド導体に接続することができるパンタグラフなど、電気コネクタを備えてもよい。このような電力システムは、サーバーラックの寸法（たとえば、高さ、幅、またはその両方）を自在に変えて、当該サーバーラックを床上の任意の位置に設置させることができるため、柔軟な配備が可能になる。
【００８８】
その他の例示的な実装形態では、データセンター電力システムは、サーバーラックに隣接するデータセンターの床上に敷設された床置式導体（たとえば、レール）を含む。データセンターの床上に設置された構成は、床置式導体（たとえば、レール）と接地の復路とを含む。サーバーラックは、集電装置またはラックを床置式導体に電気的に連結する伝導性を有するシューなど、電気コネクタを含む。床置式導体は、データセンター電力の主電源に電気的に接続され、直流電気をサーバーラックに伝導する。
【００８９】
その他の例示的な実装形態では、データセンター電力システムは、同時メンテナンスが可能な複数の導体（たとえば、バスバー）を含んだ直流電力モジュールを備える。各直流電力モジュールは、特定のサーバーラックに電気的に接続されて当該特定のサーバーラックに直接連結された切替スイッチを備える。切替スイッチによって、主電力供給源までの１つの経路を通して電力をラックに送電することから、主電力供給源に続く別の異なる経路を通して電力をラックに送電することに（たとえば、手動または自動で）切り替えられる。よって、各ラックは、メンテナンス用または動作不良のために１つの電力経路を閉鎖するなどのシャットダウンイベントの際にサーバーラックへの当該経路が喪失してしまっても大丈夫なように、主電力供給源（複数可）からデュアルで供給される構成となっている。
【００９０】
別の例示的な実装形態では、データセンター電力システムは、サーバーラックを主要直流電力の供給源に電気的に連結する直流電力コネクタを備える。主要直流電力の供給源は、電力をサーバーラックに送電してデータをラックから制御システムに、または制御システムからラックに伝送する。制御システムは、サーバーラックからデータを受信し、受信したデータの少なくとも一部に基づいて、データセンターを仮想的にモデル化する。いくつかの態様では、直流電力コネクタは、直流電力コネクタを用いてサーバーラックを主電源に電気的に連結するための特別な訓練／免許を設置者が有している必要がないインターロックコネクタを含む。また、サーバーラックに電気的に連結されると、直流電力コネクタは、ラックとコネクタとの通信を容易にしてラックに電力が供給される前に電力ハンドシェイクが行われることを可能にしてもよい。それにより、直流電力コネクタは、サーバーラックへの安全な電力接続が容易にする。
【００９１】
図１Ａは、データセンター電力システム１００の例示的な実装形態を上から見た概略図である。一般に、直流電力システム１００は、データセンタービル１０２のサーバー、プロセッサ、メモリモジュール、ネットワーク装置、およびその他のＩＴおよびデータ処理装置など、電子装置に電力を提供するために動作する。いくつかの態様では、電子装置に直接届けられた電力は、商用電力系統、発電機からのオンサイト発電、太陽光発電または風力発電、水力発電、原子力発電、またはその他の形態の発電など、電力の主電源からの直流電力である。いくつかの態様では、電力の主電源は、電子装置に届けられる前に直流電力に変換される交流電力を提供する。いくつかの態様では、１つ以上の変圧器が、電力
の主電源を中圧電力（たとえば、１３．５ｋＶＡＣ、４１６０ＶＡＣ）から低圧電力（たとえば、４６０ＶＡＣ、２３０ＶＡＣ）に変圧してから、電子装置に送電される前に直流電力（たとえば、７５０ＶＤＣ、１５００ＶＤＣ）に変圧する。データセンタービル１０２の、人が使用できる作業空間１０４に少なくとも部分的に露出した導体によって直流電力が電子装置に送電される。
【００９２】
本明細書における特定の説明では、系統電力と、ローカルまたはオンサイト発電とが区別される場合がある。別段の記載がない限り、系統電力は、公益事業によって一般に多くの顧客に提供される電力であり、その発電および制御は、公益事業によって処理される。また、このような商用電力は、データセンター施設から遠く離れた場所で発電されてもよい。ローカルまたはオンサイト発電は、より広大な電力会社とは反対に、その大部分はデータセンターの敷地にある施設によってのみ利用され、データセンターの敷地のオペレータによって管理される。オンサイト発電は、一般に、データセンターファーム（たとえば、エンジン動力発電機、燃料電池、または太陽電池の大規模バンク）と同じ所有地または施設の近くに発電機ファームを備えてもよく、基本的に専用の、当該施設への電源接続を有する（たとえば、データセンターが近くの風力発電基地から特定量の電力を購入する契約を結び、一般的な商用電力系統を通さないで電力がファームにおよびデータセンターの敷地に直接接続される状況）。
【００９３】
図１Ａに示すように、データセンタービル１０２の、人が使用できる作業空間１０４に、複数のデータセンターラック１０６が配置される。いくつかの態様では、ラック１０６は、装置が配置されるための構造を提供することによって物理的に、そして、電力の主電源から（たとえば、整流器、変圧器、またはその両方を経由して）装置に電力を提供することによって電気的に電子装置を支持する。一般に、図に示すラック１０６（「サーバーラック」とも称する）は、各々、データセンタービル１０２内のいくつかあるサーバーラックのうちの１つであってもよい。データセンタービル１０２は、様々なラックマウント式のコンピュータシステムを含んだサーバーファームまたはコロケーション施設を含んでもよい。各サーバーラック１０６は、サーバーラック１０６内に整然と繰り返し配置される複数のスロットを定めてもよく、各スロットは、対応するサーバーラックサブアセンブリ１３４（図１Ｃ〜図１Ｄに示す）が配置または取り外され得るラックにおける空間である。たとえば、サーバーラックサブアセンブリは、ラック１０６の両側から突出するレール上で支持され得る。レールは、スロットの位置を定め得る。また、複数のサーバーラックサブアセンブリ１３４がラック１０６内に取り付けられていると図示しているが、サーバーラックサブアセンブリは、１つあるだけでもよい。
【００９４】
図１Ｃ〜図１Ｄに示すように、スロット、およびサーバーラックサブアセンブリ１３４は、図に示した横配置（重力に対して）で配置され得る。これに代えて、スロット、およびサーバーラックサブアセンブリ１３４は、縦方向（重力に対して）に配置され得る。スロットが横に配置された場合、当該スロットは、ラック１０６において縦に積み重ねられてもよく、スロットが縦に配置された場合、当該スロットは、ラック１０６において横に積み重ねられてもよい。
【００９５】
たとえば、より大規模なデータセンターの一部としてのサーバーラック１０６は、データ処理および格納能力を提供してもよい。動作中、データセンターは、ネットワークに接続されていてもよく、データを取り出す、処理する、および／または格納するための様々な要求をネットワークから受け付け、かつ、それら要求に応答してもよい。動作中、たとえば、サーバーラック１０６は、通常、データセンターのコンピュータ上で実行中のアプリケーションが提供するサービスを要求するユーザのウェブブラウザアプリケーションによって生成されたユーザインタフェースとのネットワークを用いた情報の伝達を容易にする。たとえば、サーバーラック１０６は、ウェブブラウザを利用するユーザにインターネ
ットまたはワールドワイドウェブ上のウェブサイトへのアクセスを提供または提供することに役立ってもよい。
【００９６】
サーバーラックサブアセンブリ１３４は、サーバーラックに取り付けられ得るいろいろな構造のうちの１つであってもよい。たとえば、いくつかの実装形態では、サーバーラックサブアセンブリ１３４は、「トレイ」またはサーバーラック１０６にスライド可能に挿入できるトレイアセンブリであってもよい。用語「トレイ」は、特定の配置に限定されず、代わりに、マザーボードまたはマザーボードをラック構造における適切な位置に支持するための、マザーボードに付随するその他の比較的平坦な構造に該当する。いくつかの実装形態では、サーバーラックサブアセンブリ１３４は、サーバーシャーシ、またはサーバーコンテナ（たとえば、サーバーボックス）であってもよい。いくつかの実装形態では、サーバーラックサブアセンブリ１３４は、ハードドライブケージであってもよい。
【００９７】
各サーバーラックサブアセンブリ１３４は、フレームまたはケージと、フレーム上で支持されるマザーボードなどのプリント回路基板と、プリント回路基板に実装されたプロセッサまたはメモリなどの１つ以上の電子装置１３６とを含み得る。電子装置１３６は、たとえば、プロセッサ、メモリ、ハードドライブ、ネットワークスイッチ、またはその他のＩＴコンポーネントを含み得る。冷却装置、ファン、無停電電源装置（ＵＰＳ）（たとえば、バッテリモジュール）など、その他の付属装置がサーバーラックサブアセンブリ１３４（または、ラック１０６）に取り付けられ得る。
【００９８】
図１Ａ〜図１Ｂに示すように、データセンタービル１０２に１つ以上の列１０８のデータセンターラック１０６が配置されている。一般に、図１Ａ〜図１Ｂに示すように、複数の直流導体アセンブリ１１４は、人が使用できる作業空間１０４の全体に、（この例では）列１０８に平行して延在する。これらの例では、直流導体アセンブリ１１４は、サーバーラック１０６の列１０８に平行に延在し、各列１０８は、ラック１０６の前面１１１の近くにまたは隣接して配置される直流導体アセンブリ１１４をそれぞれ有する。各直流導体アセンブリ１１４は、（たとえば、１つ以上の変圧器および整流器を経由して）主電力供給源に電気的に連結された主要直流電力ブランチ１１６からの直流電力を送電する少なくとも１つの通電している導体を含む。
【００９９】
図１Ａ〜図１Ｂにさらに示すように、複数の接地導体１１８も、人が使用できる作業空間１０４の全体に、列１０８に（この例では）平行して延在する。これらの例では、接地導体１１８は、サーバーラック１０６の列１０８に平行に延在し、各列１０８は、ラック１０６の近くに接地導体１１８を有する。各接地導体１１８は、直流導体アセンブリ１１４によって送電される直流電力の「アース」または接地までの低インピーダンス経路を提供する。
【０１００】
具体的に図１Ａに関して、データセンター冷却システムは、サーバーラック１０６の隣接する列１０８の間の温風通路１１０に位置する、冷却ユニット１１２を備える。一般に、各冷却ユニット１１２は、１つ以上の冷却コイル（たとえば、水、液体、または冷媒ベースの）および冷却ユニット１１２の上端部に取り付けられた１つ以上のファンを含み、ここでは、６つのファンが図示されている。この例では、冷却ユニット１１２は、サーバーラック１０６の隣接する列１０８の間、すなわち、温風通路１１０内に位置する。動作中、冷却ユニット１１２は、ラック１０６の（たとえば、人が使用できる作業空間１０４に向かって開口した）前面１１１を通して冷却気流１０９を循環させる。冷却気流１０９は、ラック１０６の電子装置１３６からの熱を受け止め、気流１０９を温めて熱気流１０７にし、熱気流１０７は、温風通路１１０に入る。熱気流１０７は、冷却ユニット１１２に吸い込まれて（たとえば、ファンによって）１つ以上の冷却コイルによって（たとえば、冷却された液体の流動、凝縮器の水、冷媒、またはペルチェ式クーラーなどの電動クー
ラーによって）冷却される。冷却された気流は、循環されて（たとえば、ファンによって）ラック１０６の前面１１１に隣接する、人が使用できる作業空間１０４に戻される。
【０１０１】
いくつかの態様では、冷却ユニット１１２は、チラープラント、１つ以上の蒸発冷却ユニット（たとえば、冷却タワー）、１つ以上のコンデンシングユニット（たとえば、直接膨張式冷却の場合）、冷却液の天然の供給源（たとえば、湖、海、川、またはその他の自然水域）、または、それらの組合せなど、冷却液の供給源に流体結合されてもよい。いくつかの態様では、冷却ユニット１１２は、データセンタービル１０２（たとえば、「ＣＲＡＣ」ユニットとして従来知られている）の外部に位置する１つ以上のコンデンシングユニットに流体結合された独立型の冷媒ベースの（ＤＸ）冷却ユニットであってもよい。
【０１０２】
図１Ａでは、床置式（たとえば、図１Ｃ〜図１Ｄに示すデータセンターの床１３２の上で支持される）の冷却ユニット１１２が示されているが、冷却ユニット１１２は、天井取り付け式であってもよく、床仕上げ面（たとえば、スラブ、上げ床、またはその他）の上方に吊り下げられてもよい。図１Ａに示すように、１つ以上の列１０８内の特定の数のラック１０６を冷却するように特定の冷却ユニット１１２が配置されてもよい。いくつかの態様では、冷却ユニット１１２は、たとえば、特定のユニット１１２に隣接する冷却ユニット１１２が当該特定のユニット１１２が故障した場合に十分な冷却能力（たとえば、気流、コイルの大きさ）を有するよう、余剰動作するように設計または列１０８同士の間に配置されてもよい。
【０１０３】
具体的に図１Ｂに関して、別のデータセンター冷却システムは、冷却通路１１３の終わりの、ラック１０６の列１０８同士の間に位置する、冷却ユニット１２０を備える。一般に、各冷却ユニット１２０は、（たとえば、水、液体、または冷媒ベースの）１つ以上の冷却コイルおよび（たとえば、冷却気流１１９を冷却通路１１３の長さ方向に循環させるために取り付けられた）１つ以上のファンを備える。この例では、冷却ユニット１２０は、冷却気流１１が通路１１３を進んでラック１０６の開口した前面１１１に入っていくよう、サーバーラック１０６の隣接する列１０８の間に位置する。冷却気流１１９は、ラック１０６にある電子装置１３６からの熱を受け止め、気流１１９を温めて熱気流１２１にし、熱気流１２１は、循環されてユニット１２０の気流の入り口に戻される。熱気流１２１は、冷却ユニット１２０に吸い込まれて（たとえば、ファンによって）１つ以上の冷却コイル（たとえば、冷却された液体の流れによって、凝縮器の水、冷媒、またはペルチェ式クーラーなどの電動クーラー）によって冷却される。冷却された気流は、循環されて（たとえば、ファンによって）通路１１３にあるラック１０６の前面１１１に隣接する、人が使用できる作業空間１０４に戻される。
【０１０４】
いくつかの態様では、冷却ユニット１２０は、チラープラント、１つ以上の蒸発冷却ユニット（たとえば、冷却タワー）、１つ以上のコンデンシングユニット（たとえば、直接膨張式冷却の場合）、冷却液の天然の供給源（たとえば、湖、海、川、またはその他の自然水域）、または、それらの組合せなど、冷却液の供給源に流体結合されてもよい。いくつかの態様では、冷却ユニット１２０は、データセンタービル１０２（たとえば、「ＣＲＡＣ」ユニットとして従来知られている）の外部に位置する１つ以上のコンデンシングユニットに流体結合された独立型の冷媒ベースの（ＤＸ）冷却ユニットであってもよい。
【０１０５】
図１Ｂでは、床置式（たとえば、図１Ｃ〜図１Ｄに示すデータセンターの床１３２の上で支持される）の冷却ユニット１２０が示されているが、冷却ユニット１２０は、天井取り付け式であってもよく、床仕上げ面（たとえば、スラブ、上げ床、またはその他）の上方に吊り下げられてもよい。図１Ｂに示すように、隣接する列１０８内の特定の数のラック１０６を冷却するように特定の冷却ユニット１２０が配置されてもよい。いくつかの態様では、図示しないが、たとえば余剰の冷却能力またはさらなる冷却能力のために、通路
１１３の反対側の終わりに配置される、図１Ｂに示すような、冷却ユニット１２０がさらにあってもよい。たとえば、各通路１１３の終わりに設置された冷却ユニット１２０の場合、各特定の冷却ユニット１２０は、２つの隣接した列内のラック１０６のおよそ半数（すなわち、その特定のユニット１２０に近い方の半数）を冷却する責任を負ってもよい。しかし、通路１１３の一端にある冷却ユニット１２０が故障した場合、同じ通路１１３の他端にある冷却ユニット１２０は、２つの隣接した列１０８内のラック１０６のすべてを冷却できる十分な能力（たとえば、気流およびコイル容量）を有していてもよい。
【０１０６】
図１Ｃを参照すると、この図は、図１Ａまたは図１Ｂのいずれかに示すデータセンター電力システム１００の例示的な実装形態の側面図を示す。図１Ｃに示すシステム１００の実装形態では、直流導体アセンブリ１１４は、ラック１０６の列１０８の上方に直流導体アセンブリ１１４が吊り下げられるよう、（たとえば、データセンタービル１０２の天井またはその他のオーバーヘッド構造によって）支持されている。この例では、直流導体アセンブリ１１４は、ラック１０６の電子装置１３６が電気的に接続されるカテナリー電力導体を形成してもよい。カテナリー電力システムとして、直流導体アセンブリ１１４は、人が使用できる作業空間１０４内で覆い１２６（または、伝導性を有さないその他の仕切り）によって少なくとも部分的に覆われ、かつ、（たとえば、ラック１０６の上部の上方の天井またはその他の構造から）ハンガー１２８によって吊り下げられた導体表面１２４として図１Ｃに示す剛体（たとえば、バスバー）または半剛体の（たとえば、ケーブル）導体であってもよい。
【０１０７】
この例では、導体表面１２４は、主電力（たとえば、直流電力）の供給源によって電力が供給された場合、ラック１０６に電力（たとえば、中電圧または低電圧）を送る通電している導体であってもよい。たとえば、いくつかの態様では、導体表面１２４は、直流電力（たとえば、７５０ＶＤＣ、１０００ＶＤＣ）を通してもよい。その他の態様では、導体表面１２４は、中圧直流電力（たとえば、１０００ＶＤＣを下回る電圧）を通してもよい。中圧直流電力は、ラック１０６において低圧電力にさらに変圧されて電子装置１３６に提供されてもよい。
【０１０８】
図１Ｃの例に示すように、各ラック１０６（または、特定の列１０８内のラック１０６の少なくとも一部）は、電気コネクタ１２２を通して導体表面１２４に電気的に連結されてもよい。電気コネクタ１２２は、ラック（複数可）１０６に取り付けられ、コネクタ１３８を通してサーバートレイサブアセンブリ１３４の電子装置１３６に電気的に連結されている。たとえば、電気コネクタ１２２は、付勢されて（たとえば、ばね荷重、油圧運転、電動、またはその他によって）コネクタ１２２を導体表面１２４と電気接触させる１つ以上の連結アームを含むパンタグラフ（または、集電装置）であってもよい。いくつかの態様では、連結アームは、人間のオペレータによって、導体表面１２４と電気接触させられてもよい。
【０１０９】
いくつかの態様では、ラック１０６が動作位置に移動された場合、パンタグラフは、導体表面１２４と電気接触させられる、または電気接触から解除されてもよい。たとえば、人が使用できる作業空間１０４内でラック１０６が特定の列１０８に配置されると、ラック１０６は、床１３２に取り付けまたは連結されたストップ１３０に当接してもよい。ストップ１３０は、たとえば、人が使用できる作業空間１０４内で延在して列１０８の配置を定める線状部材（たとえば、アングル鉄またはその他）として配置されてもよい。よって、各ラック１０６の配備は、単純に、（たとえば、キャスターで移動させる）ラック１０６を（電子装置１３６がすでに設置されて電気コネクタ１２２に電気的に連結されている状態で）ストップ１３０に接触するまで移動させることを含んでもよく、確実にラック１０６が列１０８内で正確に配置されて、直流導体アセンブリ１１４に電気的に連結され、接地導体１１８に電気的に連結される。
【０１１０】
接地導体１１８は、この例に示すように、床１３２（たとえば、スラブ、上げ床、またはその他の支持面）内に埋め込まれ、人が使用できる作業空間１０４に少なくとも一部が露出した導体を含む。よって、ストップ１３０に接触する位置に移動させられると、ラック１０６は、導電性キャスター１４０（または、ラック１０６に電気的に接続されたその他の導電部材）を通して接地導体１１８に電気的に連結されてもよい。別の実装形態では、接地導体１１８は、ラック１０６（たとえば、ラック１０６の導電部材）同士の間の接触が床の高さよりも高い位置にあるよう、床１３２の上方に取り付けられてもよい。
【０１１１】
動作中、各ラック１０６は、特定の列１０８内の適切な位置に移動させられてもよい。ラック１０６は、電子装置１３６をすでにラック１０６内のサーバートレイサブアセンブリ１３４上に取り付けて、かつ、電気コネクタ１２２に電気的に接続していてもよい。ラック１０６が動作位置に移動させられた（たとえば、キャスターで転がされた）場合、たとえば、ストップ１３０に接触して接地導体１１８に電気的に接続された場合、電気コネクタ１２２を付勢または移動させて、導体表面１２４と電気接続させてもよい。いくつかの態様では、電気コネクタ１２２は、ラック１０６が接地導体１１８に接地されると（たとえば、人を介さずにまたは人間のオペレータを介さずに自動的に）電気接続させられるだけであってもよい。次に、電力（たとえば、直流電力）が、導体表面１２４を通過し、電気コネクタ１２２を通過して、ラック１０６の電子装置１３６に送電されてもよい。
【０１１２】
別の実施形態では、直流導体アセンブリ１１４は、ラック１０６の列１０８の上方以外の位置に配置されてもよい。ラック１０６（かつ、人が使用できる作業空間１０４の歩行エリア内ではない場所）の上方が好ましいが、いくつかの態様では、たとえば、床１３２とラック１０６の上部との間の高さの位置（または、１１０内のラック１０６の上方）に、直流導体アセンブリ１１４が温風通路１１０を通って延在するように取り付けられてもよい。
【０１１３】
図１Ｄを参照すると、この図は、図１Ａまたは図１Ｂのいずれかに示すデータセンター電力システム１００の例示的な実装形態の別の側面図を示す。図１Ｄに示すシステム１００の実装形態では、直流導体アセンブリ１１４は、列１０８になったラック１０６の近くで直流導体アセンブリ１１４がデータセンタービル１０２の全体を長さ方向に配置および延在するように、データセンタービル１０２の床１３２に取り付けられている。この例では、直流導体アセンブリ１１４は、ラック１０６の電子装置１３６が電気的に接続されたレール電力導体を形成してもよい。レール電力システムとして、直流導体アセンブリ１１４は、人が使用できる作業空間１０４に露出した導体としての剛構造部材であってもよい。図示しないが、図１Ｄでは、レール導体１１４の少なくとも一部は、レール導体１１４の上面のみが人が使用できる作業空間１０４に露出するよう、カバーまたは覆われていてもよい。
【０１１４】
この例では、レール導体１１４は、主電力（たとえば、直流電力）の供給源によって電力が供給された場合、ラック１０６に電気（たとえば、中電圧または低電圧）を送る通電している導体であってもよい。たとえば、いくつかの態様では、レール導体１１４は、直流電力（たとえば、７５０ＶＤＣ、１０００ＶＤＣ）を通してもよい。その他の態様では、レール導体１１４は、中圧直流電力（たとえば、１０００ＶＤＣを下回る電圧）を通してもよい。中圧直流電力は、ラック１０６において低圧電力にさらに変圧されて電子装置１３６に提供されてもよい。
【０１１５】
図１Ｄの例に示すように、ラック１０６（または、特定の列１０８内のラック１０６の少なくとも一部）が電気コネクタ１２２を通して各レール導体１１４に電気的に連結されてもよい。電気コネクタ１２２は、この例では、ラック（複数可）１０６の下部に取り付
けられ、かつ、コネクタ１３８を通してサーバートレイサブアセンブリ１３４の電子装置１３６に電気的に連結される。たとえば、この例における電気コネクタ１２２は、付勢されて（たとえば、ばね荷重されるなど）コネクタ１２２をレール導体１１４と電気接触させる１つ以上の連結アームを含む集電装置／導体シューであってもよい。
【０１１６】
いくつかの態様では、ラック１０６が動作位置（たとえば、レール導体１１４が設置される前、または、ストップ１３０とレール導体１１４との間）に移動された場合、集電装置／導体シューは、レール導体１１４と電気接触させられる、または電気接触から解除されてもよい。この例では、レール導体１１４は、ラック１０６の前面１１１と隣接して延在していると図示されている。別の実装形態では、レール導体１１４は、温風通路１１０内など、前面１１１の反対側であるラック１０６の裏側に隣接する、人が使用できる作業空間１０４の全体に延在してもよい。
【０１１７】
たとえば、人が使用できる作業空間１０４内でラック１０６が特定の列１０８に配置されると、ラック１０６は、床１３２に取り付けまたは連結されたストップ１３０に当接してもよい。ストップ１３０は、たとえば、人が使用できる作業空間１０４内で延在して列１０８の配置を定める線状部材（たとえば、アングル鉄またはその他）として配置されてもよい。よって、各ラック１０６の配備は、単純に、（たとえば、キャスターで移動させる）ラック１０６（電子装置１３６が既に設置されて電気コネクタ１２２に電気的に連結されている状態で）をストップ１３０に接触するまで移動させることを含んでもよく、ラック１０６が確実に列１０８内で正確に配置され、レール導体１１４に電気的に連結され、接地導体１１８に電気的に連結される。
【０１１８】
接地導体１１８は、この例に示すように、床１３２（たとえば、スラブ、上げ床、またはその他の支持面）内に埋め込まれ、人が使用できる作業空間１０４に少なくとも一部が露出した導体を含む。よって、ストップ１３０に接触する位置に移動させられると、ラック１０６は、導電性キャスター１４０（または、ラック１０６に電気的に接続されたその他の導電部材）を通して接地導体１１８に電気的に連結されてもよい。
【０１１９】
動作中、各ラック１０６は、特定の列１０８内の適切な位置に移動させられてもよい。ラック１０６は、電子装置１３６をすでにラック１０６内のサーバートレイサブアセンブリ１３４上に取り付けて、かつ、電気コネクタ１２２に電気的に接続していてもよい。ラック１０６が動作位置に移動させられた（たとえば、キャスターで転がされた）場合、たとえば、ストップ１３０に接触して接地導体１１８に電気的に接続された場合、電気コネクタ１２２は、付勢または移動させられてレール導体１１４と電気接続させられてもよい。いくつかの態様では、電気コネクタ１２２は、ラック１０６が接地導体１１８に接地されると（たとえば、人を介さずにまたは人間のオペレータを介さずに自動的に）電気接続させられるだけであってもよい。次に、電力（たとえば、直流電力）が、レール導体１１４を通過し、電気コネクタ１２２を通過して、ラック１０６の電子装置１３６に送電されてもよい。当然、いくつかの態様では、電気コネクタ１２２は、付勢または移動させられて、複数の（たとえば、２つ以上の）レール導体１１４（または、導体表面１２４）と同時または実質的に同時に（たとえば、数秒以内で）電気接続させられてもよい。
【０１２０】
図２Ａおよび図２Ｂは、データセンター電力システム２００の別の例示的な実装形態をそれぞれ上からおよび横から見た概略図である。一般に、直流電力システム２００は、サーバー、プロセッサ、メモリモジュール、ネットワーク装置、ならびにその他のＩＴおよびデータ処理装置など、データセンタービル２０２にある電子装置に電力を提供するように動作する。いくつかの態様では、電子装置に直接届けられた電力は、商用電力系統、発電機、太陽光発電もしくは風力発電、水力発電、原子力発電、またはその他の形態の電源など、電力の主電源からの直流電力である。いくつかの態様では、電力の主電源は、電子
装置に送電される前に直流電力に変換される交流電力を提供する。いくつかの態様では、１つ以上の変圧器が電力の主電源を中圧電力（たとえば、１３．５ｋＶＡＣ、４１６０ＶＡＣ）から低圧電力（たとえば、４６０ＶＡＣ、２３０ＶＡＣ）に、そして、電子装置に送電される前に直流電力（たとえば、７５０ＶＤＣ、１０００ＶＤＣ）に変圧する。直流電力は、データセンタービル２０２の、人が使用できる作業空間２０４に少なくとも部分的に露出した導体によって電子装置に送電される。
【０１２１】
図２Ａに示すように、データセンタービル２０２の、人が使用できる作業空間２０４に、複数のデータセンターラック２０８が配置される。いくつかの態様では、ラック２０８は、装置が配置されるための構造を提供することによって物理的に、そして、電力の主電源から（たとえば、整流器もしくは電力変換装置、変圧器、またはその両方を経由して）装置に電力を提供することによって電気的に電子装置を支持する。一般に、図に示すラック２０８（「サーバーラック」とも称する）は、各々、データセンタービル２０２内にいくつかあるサーバーラックのうちの１つであってもよい。データセンタービル２０２は、様々なラックマウント式のコンピュータシステムを含んだサーバーファームまたはコロケーション施設を含んでもよい。各サーバーラック２０８は、サーバーラック２０８内に整然と繰り返し配置される複数のスロットを定めてもよく、各スロットは、対応するサーバーラックサブアセンブリ２１８（図２Ｂに示す）が配置または取り外され得るラックにおける空間である。たとえば、サーバーラックサブアセンブリは、ラック２０８の両側から突出するレール上で支持され得る。レールは、スロットの位置を定め得る。また、複数のサーバーラックサブアセンブリ２１８がラック２０８内に搭載されていると図示しているが、サーバーラックサブアセンブリは、１つあるだけでもよい。
【０１２２】
図２Ｂに示すように、スロット、およびサーバーラックサブアセンブリ２１８は、図に示した横配置（重力に対して）で配置され得る。これに代えて、スロット、およびサーバーラックサブアセンブリ２１８は、縦方向（重力に対して）に配置され得る。スロットが横に配置された場合、当該スロットは、ラック２０８において縦に積み重ねられてもよく、スロットが縦に配置された場合、当該スロットは、ラック２０８において横に積み重ねられてもよい。
【０１２３】
たとえば、より規模の大きなデータセンターの一部としてのサーバーラック２０８は、データ処理および格納能力を提供してもよい。動作中、データセンターは、ネットワークに接続されていてもよく、データを取り出す、処理する、および／または格納するための様々な要求をネットワークから受け付け、かつ、それら要求に応答してもよい。動作中、たとえば、サーバーラック２０８は、通常、データセンターのコンピュータ上で実行中のアプリケーションが提供するサービスを要求するユーザのウェブブラウザアプリケーションによって生成されたユーザインタフェースとのネットワークを用いた情報の伝達を容易にする。たとえば、サーバーラック２０８は、ウェブブラウザを利用するユーザにインターネットまたはワールドワイドウェブ上のウェブサイトへのアクセスを提供または提供することに役立ってもよい。
【０１２４】
サーバーラックサブアセンブリ２１８は、サーバーラックに搭載され得るいろいろな構造のうちの１つであってもよい。たとえば、いくつかの実装形態では、サーバーラックサブアセンブリ２１８は、「トレイ」またはサーバーラック２０８にスライド可能に挿入できるトレイアセンブリであってもよい。用語「トレイ」は、特定の配置に限定されず、代わりに、マザーボードまたはマザーボードをラック構造における適切な位置に支持するための、マザーボードに付随するその他の比較的平坦な構造に該当する。いくつかの実装形態では、サーバーラックサブアセンブリ２１８は、サーバーシャーシ、またはサーバーコンテナ（たとえば、サーバーボックス）であってもよい。いくつかの実装形態では、サーバーラックサブアセンブリ２１８は、ハードドライブケージであってもよい。
【０１２５】
各サーバーラックサブアセンブリ２１８は、フレームまたはケージと、フレーム上で支持されるマザーボードなどのプリント回路基板と、１つ以上の電子装置２２０、たとえば、プリント回路基板に実装されたプロセッサまたはメモリとを含み得る。電子装置２２０は、たとえば、プロセッサ、メモリ、ハードドライブ、ネットワークスイッチ、またはその他のＩＴコンポーネントを含み得る。冷却装置、ファン、無停電電源装置（ＵＰＳ）（たとえば、バッテリモジュール）など、その他の付属装置がサーバーラックサブアセンブリ２１８（または、ラック２０８）に取り付けられ得る。
【０１２６】
図２Ａ〜図２Ｂに示すように、データセンタービル２０２では、データセンターラック１０６がラック２０８の群２０６で配置されている。一般に、図２Ａ〜図２Ｂに示すように、直流導体アセンブリ２１０は、人が使用できる作業空間２０４において、ラック２０８の群２０６の上方に平面的に配置されている。図に示すように、ラック２０８の各群２０６は、円形の配置であってもよい。その他の態様では、ラック２０８の群２０６は、円形以外の非線形な（たとえば、列ではない）配置であってもよい。
【０１２７】
この例では、直流導体アセンブリ２１０は、サーバーラック２０８の群２０６の上方に、人が使用できる作業空間２０４の全体の面方向に延在する導体表面２１１を含む。直流導体アセンブリ２１０は、（たとえば、１つ以上の変圧器および整流器を経由して）主要直流電力の供給源からの直流電力を送電する平面状のアセンブリ２１０を十字に交差配置する複数の通電している導体２１２および２１４を備える。たとえば、図２Ａに示すように、通電している導体２１２および２１４は、人が使用できる作業空間２０４の端から端までのそれぞれの直交方向に延在する。いくつかの態様では、通電している導体２１２および２１４は、アセンブリ２１０の平坦な面２１１に電力（たとえば、直流電力）を送電し、平坦な面２１１を電気的に通電させて導電性を有する面にし得る。
【０１２８】
図２Ｂにさらに示すように、複数の接地導体２２６も、人が使用できる作業空間２０４の全体に延在する。この例では、接地導体２２６は、データセンタービル２０２の床２２８の全体に並列配置された状態で延在している。各接地導体２２６は、直流導体アセンブリ２１０によって送電される直流電力の「アース」または接地（または、これに代えて、高インピーダンスまたはしっかりと接地されたシステム）までの低インピーダンス経路を提供する。
【０１２９】
図示しないが、図２Ａには、データセンタービル２０２は、データセンター冷却システムも備えてもよい。たとえば、データセンター冷却システムは、図１Ａおよび図１Ｂにそれぞれ示すシステム１１２または１２０と同様または同一であってもよい。その他の態様では、データセンター冷却システムは、冷却された液体、直接膨張式冷媒、蒸発冷却、またはその他を利用した従来のオーバーヘッド冷却システムまたは従来の床下冷却システムを含んでもよい。
【０１３０】
図２Ｂを参照すると、この図は、図２Ａに示すデータセンター電力システム２００の例示的な実装形態の側面図を示す。図２Ｂに示すシステム２００の実装形態では、直流導体アセンブリ２１０は、直流導体アセンブリ２１０（ならびに、電気的に導体表面２１１に電力を供給する十字に交差配置された導体２１２および２１４）がラック２０６の群２０６の上部の上方に吊り下げられるよう、（たとえば、データセンタービル１０２の天井またはその他のオーバーヘッド構造によって）支持されている。
【０１３１】
この例では、導体表面２１１は、導体２１２および２１４を通して主電力（たとえば、直流電力）の供給源によって電力が供給されると、ラック２０８に電気（たとえば、中電圧または低電圧）を送る通電している導体表面になってもよい。たとえば、いくつかの態
様では、導体表面２１１は、直流電力（たとえば、７５０ＶＤＣまたはその他の１０００ＶＤＣを下回る電圧）を通してもよい。その他の態様では、導体表面２１１は、直流電圧の電力を通してもよい。当該直流電圧の電力は、ラック２０８においてさらに別の電圧の電力に変圧されて電子装置２１８に提供されてもよい。
【０１３２】
図２Ｂの例において示すように、各ラック２０８（または、特定の群２０６内のラック２０８の少なくとも一部）は、電気コネクタ２１６を通して導体表面２１１に電気的に連結されてもよい。電気コネクタ２１６は、ラック（複数可）２０８に取り付けられ、コネクタ２２２を通してサーバートレイサブアセンブリ２１８の電子装置２２０に電気的に連結されている。たとえば、電気コネクタ２１６は、付勢されて（たとえば、ばね荷重されるなどして）コネクタ２１６を導体表面２１１と電気接触させる１つ以上の連結アームを含むパンタグラフであってもよい。
【０１３３】
いくつかの態様では、ラック２０８が動作位置に移動されたときに、パンタグラフが降下または導体表面２１１と電気接触してもよい。たとえば、人が使用できる作業空間２０４でラック２０８が特定の群２０６に配置される。図２Ｂでは、図１Ｃ〜図１Ｄに示すストップ１３０のようなラック停止部を示していないが、同様のストップまたはガイド装置を用いてラック２０８を正確に群２０６に配置してもよい。その他の態様では、オペレータがストップまたはガイドなしに特定のラック２０８を群２０６に移動してもよい。たとえば、導体表面２１１によって、ラック２０８の上方の、人が使用できる作業空間２０４のすべてまたはほとんどのエリアに、導電性を有する表面２１１が提供され得るので、人が使用できる作業空間２０４内の特定の位置にラック２０８が配置されなくてもよい。
【０１３４】
各接地導体２２６は、この例に示すように、床２２８（たとえば、スラブ、上げ床、またはその他の支持面）内に埋め込まれ、人が使用できる作業空間２０４に少なくとも一部が露出した導体を含む。よって、適切な位置に移動させられると、ラック２０８は、導電性キャスター２２４（または、ラック２０８に電気的に接続されるその他の導電部材）を通して接地導体２２６に電気的に連結されてもよい。
【０１３５】
動作中、各ラック２０８は、特定の群２０６内の適切な位置（または、人が使用できる作業空間２０４の規則的な、不規則な、グループ化されない位置）に移動させられてもよい。ラック２０８は、電子装置２２０をすでにラック２０８内のサーバートレイサブアセンブリ２１８上に取り付けて、かつ、電気コネクタ２１６に電気的に接続していてもよい。ラック２０８が動作位置に移動させられた（たとえば、キャスターで転がされた）場合、たとえば、接地導体２２６に電気的に接続された場合、電気コネクタ２１６は、付勢または移動させられて導体表面２１１と電気接続させられてもよい。いくつかの態様では、電気コネクタ２１６は、ラック２０８が接地導体２２６に接地されると（たとえば、人を介さずにまたは人間のオペレータを介さずに自動的に）電気接続させられるだけであってもよい。次に、電力（たとえば、直流電力）は、導体表面２１１を通過し、電気コネクタ２１６を通過して、ラック２０の電子装置２２０８に送電されてもよい。
【０１３６】
図３Ａは、直流データセンター電力モジュール３００（「直流電力モジュール３００」）の概略図である。一般に、直流電力モジュール３００は、複数のデータセンターラック、またはサーバーラックを、データセンターの主電源（または、供給源）への複数の電気経路に電気的に連結する。さらには、直流電力モジュール３００は、データセンターのサーバーラック毎に切替可能な（たとえば、手動または自動で）電源を可能にしてもよく、確実にいずれの特定のラックも、余剰のために、複数の電源経路によって主電力の１つ以上の供給源に接続されている。よって、主電源からの特定の経路が、（たとえば、動作不良またはその他によって）サーバーラックから電気的に連結解除された場合、電力をサーバーラックに送電するために余剰経路が利用可能である。
【０１３７】
図３Ａに示すように、直流電力モジュール３００は、複数の切替スイッチ３２０を収容する筐体３０２（たとえば、エンクロージャ、キャビネット、またはその他）を備える。いくつかの態様では、直流電力モジュール３００は、特定のサーバーラック群（たとえば、列、列の一部、直線状でない群、またはその他）内のサーバーラックの数よりも多い数（たとえば、２倍）の切替スイッチ３２０を備えてもよい。各切替スイッチ３２０は、自動切替スイッチであってもよく、手動切替スイッチであってもよい。たとえば、各切替スイッチ３２０は、１つの電源経路から特定のサーバーラックへの電力（たとえば、直流電力）の送電を制御してもよい。
【０１３８】
図３Ａに示すように、各切替スイッチ３２０は、主要（または、第１の）電力接続３１６を通して主要（または、第１の）直流電力バス３０４に連結されるか、二次（または、第２の）電力接続３１８を通して二次（または、第２の）直流電力バス３０６に連結されるかのいずれかである。一般に、主要および二次電力バス３０４および３０６は、バスバー（たとえば、銅製バスバー）を備えてもよい。主要直流電力バス３０４は、筐体３０２（かつ、できればデータセンタービルの外に）の外部で主要コンバータ３１４に電気的に連結される。二次直流電力バス３０６は、筐体３０２（かつ、できればデータセンタービルの外に）の外部で二次コンバータ３１２に電気的に連結される。いくつかの態様では、主要と二次直流電力バス３０４および３０６とは、筐体３０２内で分離されている（たとえば、物理的に、電気的に、またはその両方）。
【０１３９】
各コンバータ３１２および３１４は、一般に、主電力の１つ以上の供給源（３０８および３１０）から電力を受電し、調整された電力をそれぞれの直流電力バス３０４および３０６に送電する。たとえば、いくつかの態様では、主電源は、電力系統電源３０８および予備発電機電源３１０であってもよい。主電力その他の供給源は、電力系統電源３０８および発電機電源３１０とは独立して、たとえば、太陽光発電、風力発電、原子力発電、天然ガス、または石炭電源などを含んでもよい。
【０１４０】
コンバータ３１２および３１４によって送電される調整された電力は、交流電力から直流電力に調整されてもよい。たとえば、電力３０８および３１０の主電源が交流電力を生成し、コンバータ３１２および３１４が交流電力を直流電力に変換して直流電力モジュール３００に送電してもよい。さらには、電力の主電源が中圧電力（たとえば、１３．５ｋＶ）を生成またはコンバータ３１２および３１４に送電してもよい。コンバータ３１２および３１４（変圧器としても動作する）は、高圧電力を低圧電力（たとえば、２００Ｖと５０００Ｖとの間）またはさらに直流電力（たとえば、１０００ＶＤＣ未満）に変圧してもよい。よって、コンバータ３１２および３１４の各々は、電力変換装置（たとえば、交流から直流に）または電力変換／変圧装置を表してもよい。
【０１４１】
この例に示すように、切替スイッチ３２０の各ペアが１つの電気導体３２２に接続する。当該電気導体３２２は、筐体３０２の外部に延在してデータセンターの（何十、何百、さらには何千ものサーバーラックのうちの）特定のサーバーラックに電気的に連結する。よって、直流電力モジュール３００のこの例示的な実装形態では、各サーバーラックは、特定の一対の切替スイッチ３２０に電気的に連結され、当該特定の一対の切替スイッチ３２０を通して電力（たとえば、直流電力）を受電する。
【０１４２】
いくつかの態様では、直流電力バス３０４および３０６は、バス３０４または３０６の一方が機能していない場合であっても、直流電力が直流電力モジュール３００からサーバーラックに必ず送電される、別個に保守可能なバスバーを可能にする。たとえば、場合によっては、電力バス３０４または３０６の一方がメンテナンスまたは修繕のために機能していない場合がある。このような場合、電力バス３０４および３０６の各々は、バス３０
４または３０６の他方（保守されていない）が直流電力を切替スイッチ３２０に送電しつつ、別々に保守可能であってもよい。
【０１４３】
図３Ｂ〜図３Ｃは、図３Ａの１つ以上の直流データセンター電力モジュール３００によって電力が供給されるラック３５８を有するデータセンター３５０の例示的な実装形態の概略図である。たとえば、人が使用できる作業空間３５４を定めるデータセンタービル３５２を含んだ図３Ａの例示的なデータセンター３５０では、２つ直流電力モジュール３００があり、各モジュール３００は、特定的には、データセンター３５０のサーバーラック３５８の定められた部分を提供する。この例では、当該特定の部分は、２つの隣接する列３５６に位置するラック３５８を含む。よって、この例では、電力（たとえば、直流電力）がラック３５８の２つの列３５６に提供される、一意かつ独立した直流電力モジュール３００がある。
【０１４４】
これに代えて、いくつかの構成例では、１つの列３５６のラック３５８は、１つの特定の直流電力モジュール３００（たとえば、列３５８の直流電力モジュール３００との１対１の割合）から電力の提供を受けてもよい（たとえば、直流電力を受電してもよい）。いくつかの他の構成例では、ラック３５８の１列３５６は、２つ以上の直流電力モジュール３００（たとえば、列３５８と直流電力モジュール３００との１対ｎの割合。但し、ｎ＞１）から電力の提供を受けてもよい（たとえば、直流電力を受電してもよい）。いくつかの他の構成例では、ラック３５８の２列３５６以上が１つの直流電力モジュール３００（たとえば、列３５８と直流電力モジュール３００とのｎ対１の割合。但し、ｎ＞１）から電力の提供を受けてもよい（たとえば、直流電力を受電してもよい）。当然、いくつかの例示的な実装形態では、いくつかの数のラック３５８が直線状でない配置（たとえば、１つのかたまり、またはその他の配置など）にグループ化されて、１つ以上の直流電力モジュール３００が１つの特定のまたは複数の群のラック３５８に電力を提供してもよい。
【０１４５】
図３Ｂを参照すると、この図の例示的なデータセンター３５０では、２つの直流電力モジュール３００があり、各モジュール３００は、いくつかの列３５６の１つ以上のラック３５８に提供する。この例では、直流電力モジュール３００のうちの１つは、この配置例に示す各列３５６のいくつかの数のラック３５８に電力を提供する。たとえば、図に示すように、各列３５６のラック３５８の一部３６０が各直流電力モジュール３００によって電力の提供を受ける。よって、たとえば、動作不良の場合または特定の直流電力モジュール３００から電力（たとえば、直流電力）が送電できない場合、ラック３５８の列３５６全体の電力（よって、動作）が喪失することはない。このような配置では、１つの列（または、直線状でない群）のサーバーラック３５８が１つの直流電力モジュール３００の喪失によって動作不能にならないよう、送電を多様化することができる。
【０１４６】
図４は、１つ以上のサーバーラック４１０と電力制御システム４０６との間で電力およびデータを伝送する１つ以上のデータセンター電源コネクタ４１２を利用する電力制御システム４０６を備えたデータセンター４００の概略図である。伝送されたデータに基づいて、たとえば、電力制御システム４０６は、データセンター４００の１つ以上の仮想モデルを生成してもよい。いくつかの態様では、仮想モデルによって、特に、以下のようなタスクを行う際の効率（たとえば、コスト、時間、マンパワー、その他）が向上するだろう。サーバーラック４１０およびラック４１０において支持されている１つ以上の電子装置の棚卸し作業；サーバーラック４１０およびラック４１０において支持されている１つ以上の電子装置を、データセンター４００の、人が使用できる作業空間４０４内で地理的に特定する作業；サーバーラック４１０およびラック４１０において支持されている１つ以上の電子装置を、データセンター４００のネットワークトポロジー４０４内で特定する作業；サーバーラック４１０およびラック４１０において支持されている１つ以上の電子装置を、データセンター４００の冷却トポロジー内で特定する作業；ならびに、サーバーラ
ック４１０およびラック４１０において支持されている１つ以上の電子装置を、データセンター４００の電力トポロジー内で特定する作業。
【０１４７】
図４のデータセンター４００の概略図は、簡略化されており、送電構造、冷却構造、およびネットワーク構造など、特定の構造を図示していない。そのため、図４のデータセンター４００の例示的な実装形態は、たとえば、図１Ａ〜図１Ｄ、図２Ａ〜図２Ｂ、および図３Ａ〜図３Ｃのうちのいずれか１つに示す直流電力システム、および、直流電力をサーバーラックの電子装置に送電するための直流電力送電システム、サーバーラックの電子装置を冷却するための冷却システム、ローカルエリアネットワーク（「ＬＡＮ」）、ワイドエリアネットワーク（「ＷＡＮ」）、ピアツーピアネットワーク（アドホックまたは静的メンバを有する）、グリッドコンピューティングインフラストラクチャ、およびインターネットなどの１つ以上のネットワークに電子装置を、適宜、通信可能に連結するネットワーキングシステムを含むその他の電力構造、冷却構造、またはネットワーク構造を有して実装され得る。例示的な電力制御システム４０６は、（たとえば、１つ以上の整流器および変圧器を経由して）主電力４０８の供給源に電気的に連結されている。
【０１４８】
図に示すように、電力制御システム４０６は、電源コネクタ４１２を通してサーバーラック４１０に通信可能に電気的に連結されている。電力制御システム４０６は、いくつかの態様では、たとえば、直流電力をサーバーラック４１０に送電するマイクロプロセッサベースの電力提供システムなど、コントローラベースの電力提供システムであり得る。たとえば、電源コネクタ４０６は、コントローラベースのデータセンター電力モジュール３００であり得る。また、電源コネクタ４０６は、データセンター電力システム１００またはデータセンター電力システム２００の少なくとも一部であり得る。よって、電源コネクタ４１２は、いくつかの態様では、１つ以上の直流電力モジュール３００、直流電力導体１１４、または直流導体アセンブリ２１０にサーバーラック４１０を接続するために使用され得る。
【０１４９】
各電源コネクタ４１２は、１つ以上のサーバーラック４１０に交流または直流電力を送電して、電子装置（たとえば、プロセッサ、メモリ、ネットワーク装置、ファンなどの冷却装置、およびその他）に電源を供給し得る。また、各電源コネクタ４１２は、サーバーラックと（たとえば、電子装置と）制御システム４０６との間でデータを伝送し得る。たとえば、いくつかの態様では、各電源コネクタ４１２は、データおよび交流または直流電力を同時に伝送する電力線通信（ＰＬＣ：Ｐｏｗｅｒ−Ｌｉｎｅ  Ｃｏｍｍｕｎｉｃａｔｉｏｎｓ）導体を含む。ＰＬＣ導体は、広帯域または狭帯域ＰＬＣ導体であり得、デジタル情報および直流電力を届け得る。たとえば、ＰＬＣ導体は、ＣＡＮバス、ＤＣ−ＬＩＮ（ＬＩＮ−ｂｕｓ  ｏｖｅｒ  ｐｏｗｅｒ  ｌｉｎｅ）、ＤＣ−ＢＵＳ、およびＬｏｎＷｏｒｋｓなど、いくつかある標準の直流ＰＬＣ導体のうちの１つであり得る。さらに別の例として、直流ＰＬＣ導体として、電源コネクタ４１２は、ＰＬＣにＳＡＥ  Ｊ１７７２規格を利用し得る。
【０１５０】
前述したように、各電源コネクタ４１２は、電力およびデータの両方を伝送する１つの導体を備え得る。これに代えて、各電源コネクタ４１２は、１つのシースまたはコンジット内で連結された２つの導体を備える。たとえば、導体のうちの一方がデータを伝送し、導体のうちの他方が電力を伝送し得る。
【０１５１】
動作中、電源コネクタ４１２を用いて電力制御システム４０６をサーバーラック４１０に電気的に接続することに続いて、直流電力が電源コネクタ４１２を通してサーバーラック４１０に送電されて、電子装置に電力を供給する。電源コネクタ４０６をサーバーラック４１０に通信可能に電気的に連結すると、電源コネクタ４０６は、ラック４１０と電源コネクタ４０６との間でデータ転送を開始し、１つ以上の仮想モデルを生成してもよい。
たとえば、接続されると、電源コネクタ４０６は、電源コネクタ４１２を通してサーバーラック４１２をポーリング（または、情報を要求）してもよい。要求された情報は、たとえば、各サーバーラック４１０の各電子装置（たとえば、プロセッサ、メモリ、スイッチ、またはその他）の名前、型番、または製造番号、サーバーラックの名前または名称、およびその他の識別情報など、サーバーラック４１０およびサーバーラック上で支持された電子装置のそれぞれについての「識別」情報を含んでもよい。このような要求またはポーリングは、たとえば、定期的に、サーバーラックがデータセンター４００に設置された後に１度だけ、サーバーラックさらにはサーバーラック内の電子装置を移動または交換する度に毎回行われてもよい。
【０１５２】
識別情報が電源コネクタ４０６に伝達されると、電源コネクタ４０６は、データセンター４００の１つ以上の仮想モデルを構築または完成させてもよい。１つの例示的な仮想モデルは、地理的トポロジーモデルであってもよい。たとえば、電源コネクタ４０６は、サーバーラック４１０さらには各サーバーラック４１０内の電子装置ごとの識別情報を、データセンタービル４０２の、人が使用できる作業空間４０４内の具体的な地理的位置と対応付けてもよい。いくつかの態様では、電源コネクタ４０６は、ＧＰＳまたはその他の地理対応付け技術を用いて識別情報を具体的な地理的位置と対応付けてもよい。その他の態様では、サーバーラック４１０を配備する前に、電源コネクタ４０６は、データセンター４００の「空の（ｂｌａｎｋ）」地理的トポロジーを含むまたは格納してもよい。「空の」地理的トポロジーは、サーバーラック４１０の提案位置を含むが、特定のサーバーラック４１０を（たとえば、列における、群における、またはその他の）提案位置と対応付けた識別情報を含まない。そのため、受信した識別情報を提案位置に入力して地理的トポロジーの仮想モデルを生成してもよい。いくつかの態様では、特定のサーバーラック４１０およびサーバーラック４１０内の個々の構成要素の具体的な位置が分かるように、生成された地理モデルを利用してもよい。よって、たとえば、ある構成要素が故障または動作不良を起こした場合、（このような構成要素を何百、何千、何万と備えている可能性がある）データセンター４００内のその位置が効率よく特定されるだろう。
【０１５３】
別の例示的な仮想モデルは、ネットワークトポロジーモデルであってもよい。たとえば、サーバーラック４１０を配備する前に、電源コネクタ４０６は、サーバーラック４１０の提案ネットワークドメインを含んだ、データセンター４００の「空の」ネットワークトポロジーを含むまたは格納してもよい。各ネットワークドメインによって、データセンター４００内で共通ネットワークに通信可能に連結されたサーバーラック４１０（および、このようなラック４１０上で支持される電子装置）の数が定められてもよい。「空の」ネットワークトポロジーは、特定のサーバーラック４１０を（たとえば、ラックの列、ラックの群、またはその他によって定められる）提案ネットワークドメインに対応付ける識別情報を含まない可能性がある。そのため、受信した識別情報を提案ドメインに入力してネットワークトポロジーの仮想モデルを生成してもよい。いくつかの態様では、特定のサーバーラック４１０およびサーバーラック４１０内の個々の構成要素が含まれている具体的なネットワークドメインが分かるように、生成されたネットワークモデルを利用してもよい。よって、たとえば、あるネットワークドメインが故障または動作不良を起こした場合、特定のラック４１０または故障したドメイン内のラック４１０内の電子装置は、たとえば、別のドメインに送られてもよい。
【０１５４】
別の例示的な仮想モデルは、冷却トポロジーモデルであってもよい。たとえば、サーバーラック４１０を配備する前に、電源コネクタ４０６は、サーバーラック４１０の提案冷却ドメインを含んだ、データセンター４００の「空の」冷却トポロジーを含むまたは格納してもよい。各冷却ドメインによって、データセンター４００内で特定の冷却ユニット（たとえば、ファンコイルユニット、ＣＲＡＣユニット、チラー、冷却タワー、ファン、ポンプ、ヒートポンプ、コンデンシングユニット、またはその他などの蒸発冷却ユニット）
によって冷却されるサーバーラック４１０（および、このようなラック４１０上で支持される電子装置）の数が定められてもよい。「空の」冷却トポロジーは、特定のサーバーラック４１０を（たとえば、ラックの列、ラックの群、またはその他によって定められる）提案冷却ドメインに対応付ける識別情報を含まない可能性がある。そのため、受信した識別情報を提案ドメインに入力して冷却トポロジー仮想モデルを生成してもよい。いくつかの態様では、特定のサーバーラック４１０およびサーバーラック４１０内の個々の構成要素が含まれている具体的な冷却ドメインが分かるように、生成された冷却モデルを利用してもよい。よって、たとえば、１つの冷却ドメインが（たとえば、このようなドメインの１つ以上の冷却ユニットの故障によって）故障または動作不良を起こした場合、故障したドメイン内のラック４１０内の特定のラック４１０または電子装置は、たとえば、別の冷却ドメインに移動されてもよく、または、故障したドメイン内のラック４１０を冷却するように別の冷却ドメインが（たとえば、気流またはその他の冷却流量を上げて）調整されてもよい。これに加えて、いくつかの態様では、冷却トポロジーは、冷却ドメイン内の１つ以上の冷却ユニットの故障を判断するために利用されてもよい。たとえば、特定のラック４１０の電子装置の温度、特定のラック４１０から出る（たとえば、ラック４１０に隣接する温風通路に入る）気流の温度、またはその他のパラメータなど、特定のサーバーラック４１０の検知されたパラメータ（たとえば、温度またはその他）に基づいて、電源コネクタ４０６は、特定のサーバーラック４１０が位置する冷却ドメインを担当する１つ以上の冷却ユニットが故障したまたは機能していないと判断してもよい。よって、メンテナンスまたは故障した冷却ユニット（複数可）の交換が行われるだろう。
【０１５５】
別の例示的な仮想モデルは、電力トポロジーモデルであってもよい。たとえば、サーバーラック４１０を配備する前に、電源コネクタ４０６は、サーバーラック４１０の提案パワードメインを含んだ、データセンター４００の「空の」電力トポロジーを含むまたは格納してもよい。各パワードメインによって、データセンター４００内で共通のパワードメイン上で電気的に連結されたサーバーラック４１０（および、このようなラック４１０上で支持される電子装置）の数が定められてもよい。いくつかの態様では、１つ以上のサーバーラック４１０、電子装置、または、データセンター電力システムの特定の電力導体、データセンター電力システムの特定の直流電力モジュール、データセンター電力システムの特定の変圧器、データセンター電力システムの特定の整流器、データセンター電力システムの特定の電源、もしくはデータセンター電力システムのこのような構成要素の組合せから電力を受電する、電力を消費するその他の装置（たとえば、冷却または照明）の群として、パワードメインが定められてもよい。「空の」電力トポロジーは、特定のサーバーラック４１０を提案パワードメインに対応付ける任意の識別情報を含まない可能性がある。そのため、受信した識別情報を提案ドメインに入力して電力トポロジー仮想モデルを生成し、配備されたサーバーラック４１０（および関連する電子装置）を提案パワードメインのうちの少なくとも１つとリンク付けしてもよい）。いくつかの態様では、特定のサーバーラック４１０およびサーバーラック４１０内の個々の構成要素が含まれている具体的なパワードメインが分かるように、生成された電力モデルを利用してもよい。よって、たとえば、パワードメイン（たとえば、このようなドメインの一部である電力コンポーネント）が故障または動作不良を起こした場合、特定のラック４１０または故障したドメイン内のラック４１０内の電子装置は、たとえば、別のパワードメインから送られた電力を受電してもよい。
【０１５６】
仮想モデル例のうちの１つ以上は、たとえば、更新された識別情報に基づいて定期的に（たとえば、随時、所定の期間ごとに、動的にリアルタイムなど）更新されてもよい。たとえば、電源コネクタ４０６は、ラック４１０と電源コネクタ４０６との間で伝送される識別情報のために開始またはポーリングされてもよい。これは、定期的に発生してもよい（たとえば、週に１回、月に１回、１日に１回、またはその他）。これは、データセンターのオペレータによって開始されたとき、１つ以上の電子装置またはサーバーラックが（
たとえば、物理的または仮想的に）調整されたときなども、動的に発生してもよい。それぞれのサーバーラック４１０およびサーバーラック上で支持される電子装置についての識別情報は、（たとえば、サーバーラック４１０またはデータセンターの初期始動の）後のデータ転送で更新されてもよい。識別情報が更新済みであると確認されると、生成された仮想モデル（複数可）を新しい識別情報で更新してもよい。
【０１５７】
記載の仮想モデルを生成することによって、サーバーラックおよび／または電子装置のデータセンター内での位置を特定することについて、従来技術と比べていくつかの利点がもたらされるであろう。たとえば、従来技術では、（データセンターの何十、何百、または何千ものラックの中の）各サーバーラックの個々の位置を人間のオペレータが目視で確認および記録することが含まれている可能性がある。このような目視による確認および記録は、誤りや不備をはらんでおり、これは、本開示に係る生成された仮想モデルによって低減または排除できる。たとえば、サーバーラックに特有の識別情報および電子装置に特有の識別情報の識別および記録が電力制御システム４０６によって自動的に行われるので、生成された仮想モデルは、より正確であろう。さらには、このような電力制御システム４０６によるサーバーラックに特有の識別情報および電子装置に特有の識別情報の識別および記録は、サーバーラックまたは電子装置を移動、撤去、または交換する度など、いつでも、そして従来技術よりも何倍も簡単に開始および完了させることができる。これに加えて、特定のデータセンターインフラストラクチャの設備（たとえば、冷却ユニット、送電コンポーネント、ネットワークコンポーネント）を交換することによる、生成された仮想モデルへの影響はないだろう。また、記載の仮想モデルは、冷却要件、電力要件、資産診断および管理のためのサーバーラックおよび／または電子装置の動的またはリアルタイム状態、ならびにデータセンターの床の動的マッピングを提供してもよい。
【０１５８】
図５は、電力制御システム４０６など、データセンター電力システムの例示的なコントローラ５００（または、制御システム）の概略図である。たとえば、コントローラ５００は、電源コネクタ４１２など、１つ以上の電源コネクタを含むデータセンター電力システムと通信可能に連結されてもよく、または、当該データセンター電力システムの一部であってもよく、電子装置を支持する１つ以上のラックに電力を提供する。
【０１５９】
コントローラ５００は、ＰＣＢ（Ｐｒｉｎｔｅｄ  Ｃｉｒｃｕｉｔ  Ｂｏａｒｄ）、プロセッサ、デジタル回路、または車両の一部であるその他など、様々な形態のデジタルコンピュータを含むよう、意図される。これに加えて、システムは、ＵＳＢ（Ｕｎｉｖｅｒｓａｌ  Ｓｅｒｉａｌ  Ｂｕｓ）フラッシュドライブなど、持ち運び可能な記憶媒体を含み得る。たとえば、ＵＳＢフラッシュドライブは、オペレーティングシステムおよびその他のアプリケーションを格納してもよい。ＵＳＢフラッシュドライブは、ワイヤレス送信器または別のコンピューティングデバイスのＵＳＢポートに挿入でき得るＵＳＢコネクタなど、入出力コンポーネントを含み得る。
【０１６０】
コントローラ５００は、プロセッサ５１０と、メモリ５２０と、記憶装置５３０と、入出力装置５４０とを備える。構成要素５１０、５２０、５３０、および５４０の各々は、システムバス５５０を用いて互いに接続されている。プロセッサ５１０は、コントローラ５００内で実行するための命令を処理することができる。プロセッサは、任意の数のアーキテクチャを利用して設計されてもよい。たとえば、プロセッサ５１０は、ＣＩＳＣ（Ｃｏｍｐｌｅｘ  Ｉｎｓｔｒｕｃｔｉｏｎ  Ｓｅｔ）プロセッサ、ＲＩＳＣ（Ｒｅｄｕｃｅｄ  Ｉｎｓｔｒｕｃｔｉｏｎ  Ｓｅｔ  Ｃｏｍｐｕｔｅｒ）プロセッサ、または、ＭＩＳＣ（Ｍｉｎｉｍａｌ  Ｉｎｓｔｒｕｃｔｉｏｎ  Ｓｅｔ  Ｃｏｍｐｕｔｅｒ）プロセッサであってもよい。
【０１６１】
一実装形態では、プロセッサ５１０は、シングルスレッドプロセッサである。別の実装
形態では、プロセッサ５１０は、マルチスレッドプロセッサである。プロセッサ５１０は、メモリ５２０にまたは記憶装置５３０上に格納された命令を処理して、入出力装置５４０上のユーザインタフェースのためのグラフィック情報を表示することができる。
【０１６２】
メモリ５２０は、コントローラ５００内の情報を格納する。一実装形態では、メモリ５２０は、コンピュータ読み取り可能な媒体である。一実装形態では、メモリ５２０は、揮発性記憶装置である。別の実装形態では、メモリ５２０は、不揮発性記憶装置である。
【０１６３】
記憶装置５３０は、コントローラ５００用の大容量ストレージを提供することができる。一実装形態では、記憶装置５３０は、コンピュータ読み取り可能な媒体である。様々な異なる実装形態では、記憶装置５３０は、フロッピーディスク装置、ハードディスク装置、光ディスク装置、またはテープ装置であってもよい。
【０１６４】
入出力装置５４０は、コントローラ５００の入出力動作を提供する。一実装形態では、入出力装置５４０は、キーボードおよび／またはポインティングデバイスを含む。別の実装形態では、入出力装置５４０は、グラフィカルユーザインタフェースを表示するためのディスプレイ装置を含む。
【０１６５】
記載の特徴は、デジタル電子回路で、または、コンピュータハードウェア、ファームウェア、ソフトウェアで、または、それらの組合せで実現され得る。装置は、情報担体、たとえば、プログラマブルプロセッサによって実行される機械読み取り可能な記憶装置に有形に含まれるコンピュータプログラムプロダクトで実現され得、入力データを操作して出力を生成することによって記載の実装形態の機能を実行する命令からなるプログラムをプログラマブルプロセッサが実行することによって、方法ステップが実行され得る。記載の特徴は、有利には、データ記憶システム、少なくとも１つの入力装置、および少なくとも１つの出力装置とデータおよび命令を送受信するために連結された少なくとも１つのプログラマブルプロセッサを備えるプログラマブルシステム上で実行可能な１つ以上のコンピュータプログラムで実現され得る。コンピュータプログラムは、特定のアクティビティを実行するまたは特定の結果をもたらすためにコンピュータにおいて直接または間接的に利用され得る命令セットである。コンピュータプログラムは、コンパイラ言語またはインタプリタ言語など、いかなる形式のプログラミング言語によっても書くことができ、スタンドアロンプログラムとして、またはモジュール、コンポーネント、サブルーチン、またはコンピューティング環境において使用するのに適したその他の構成単位としてなど、いかなる形態にもデプロイできる。
【０１６６】
命令を含んだプログラムを実行するのに適したプロセッサとして、一例として、汎用マイクロプロセッサと専用マイクロプロセッサの両方、および単独のプロセッサまたは任意の種類のコンピュータに含まれる複数のプロセッサのうちの１つなどがある。一般的に、プロセッサは、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、またはその両方から命令およびデータを受信することになる。コンピュータの必須の構成要素は、命令を実行するためのプロセッサ、ならびに命令およびデータを格納するための１つ以上のメモリである。また、一般的に、コンピュータは、データファイルを格納するための１つ以上の大容量記憶装置を含むまたは当該装置に動作可能に連結される。このような装置は、内蔵ハードディスクおよびリムーバルディスクなどの磁気ディスク、光磁気ディスク、および光ディスクを含む。コンピュータプログラム命令およびデータを有形に含むのに適した記憶装置は、すべての形態の不揮発性メモリを含み、一例として、ＥＰＲＯＭ、ＥＥＰＲＯＭ、およびフラッシュメモリ装置などの半導体記憶装置、内蔵ハードディスクおよびリムーバルディスクなどの磁気ディスク、光磁気ディスク、ならびにＣＤ−ＲＯＭおよびＤＶＤ−ＲＯＭディスクなどが挙げられる。プロセッサおよびメモリは、特定用途向け集積回路（ＡＳＩＣ：Ａｐｐｌｉｃａｔｉｏ
ｎ−Ｓｐｅｃｉｆｉｃ  Ｉｎｔｅｇｒａｔｅｄ  Ｃｉｒｃｕｉｔ）によって補われ得、特定用途向け集積回路に内蔵され得る。
【０１６７】
ユーザとのやり取りを可能にするために、特徴は、ブラウン管（ＣＲＴ）または液晶ディスプレイ（ＬＣＤ）モニタなど、ユーザに情報を表示するための表示装置と、マウスまたはトラックボールなど、ユーザがコンピュータに入力を行えるキーボードおよびポインティングデバイスとを備えたコンピュータ上に実装され得る。これに加えて、このようなアクティビティは、タッチスクリーンフラットパネルディスプレイおよびその他の適したメカニズムを介して実施され得る。
【０１６８】
これらの特徴は、データサーバなど、バックエンドコンポーネントを備える制御システム、アプリケーションサーバーまたはインターネットサーバーなど、ミドルウェア・コンポーネントを備える制御システム、グラフィカルユーザインタフェースまたはインターネットブラウザを有するクライアントコンピュータなど、フロントエンドコンポーネントを備える制御システム、またはそれらの任意の組合せで実現され得る。システムの構成要素は、通信ネットワークなど、デジタルデータ通信の任意の形態または媒体によって接続され得る。通信ネットワークとして、ローカルエリアネットワーク（「ＬＡＮ」）、ワイドエリアネットワーク（「ＷＡＮ」）、ピアツーピアネットワーク（アドホックまたは静的メンバを有する）、グリッドコンピューティングインフラストラクチャ、およびインターネットなどが挙げられる。
【０１６９】
本明細書は、多くの具体的な実装形態の詳細を含むが、これらは、発明または請求の範囲の限定として解釈されるべきではなく、むしろ、特定の発明の特定の実装形態に特有の特徴の説明であると解釈されるべきである。別々の実装形態の枠内で本明細書に記載のいくつかの特徴は、組み合わされて１つの実装形態で実現され得る。その逆に、１つの実装形態の枠内で記載されたさまざまな特徴は、別々の複数の実装形態または任意の適した部分的な組み合わせで実現することもできる。また、特徴は、いくつかの実装形態で動作するものとして上述され、そのように最初にクレームされ得たが、クレームされた組み合わせからの１つ以上の特徴は、場合によっては、組み合わせから削除することができ、クレームされた組み合わせは、部分的な組み合わせ、または部分的な組み合わせの変形例を対象としてもよい。
【０１７０】
同様に、動作を特定の順番で図面に示したが、所望の結果を実現するために、示された特定の順番または順序でこのような動作が行われる、または、図示した動作のすべてが行われる必要があると理解されるべきではない。いくつかの状況では、多重タスク処理および並列処理が有利である場合がある。また、上述の実装形態におけるさまざまなシステム構成要素を分離することは、このような分離がすべての実装形態において必要であると理解されるべきではなく、記載のプログラムコンポーネントおよびシステムは、一般に、１つのソフトウェアプロダクトに一体化され得るまたは複数のソフトウェアプロダクトにパッケージ化され得ると理解されるべきである。
【０１７１】
いくつかの実装形態を説明したが、本開示の趣旨および範囲を逸脱することなく、さまざまな変更がなされてもよいことが理解されるだろう。たとえば、本明細書に記載の例示的な動作、方法、または処理は、記載のステップよりも多いまたは少ないステップを含んでもよい。さらには、このような例示的な動作、方法、または処理におけるステップは、記載した順序または図に示した順序とは異なる順序で実行されてもよい。したがって、他の実装形態は、添付の特許請求の範囲に含まれる。
【図１Ａ】
2020124110.tif 000003
【図１Ｂ】
2020124110.tif 000004
【図１Ｃ】
2020124110.tif 000005
【図１Ｄ】
2020124110.tif 000006
【図２Ａ】
2020124110.tif 000007
【図２Ｂ】
2020124110.tif 000008
【図３Ａ】
2020124110.tif 000009
【図３Ｂ】
2020124110.tif 000010
【図３Ｃ】
2020124110.tif 000011
【図４】
2020124110.tif 000012
【図５】
2020124110.tif 000013
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
内部容積を規定する導管と、
前記導管の前記内部容積を通って延在する送電線通信用導体とを含み、
前記導体は、データセンターの主電力供給源からの電力を、前記データセンターの、人が使用できる作業空間に配備されたラックに取り付けられた少なくとも１つの電子装置に送るように構成され、
前記導体は、前記少なくとも１つの電子装置とデータセンター制御システムとの間でデータを送るように構成され、
前記データは、前記複数の電子装置に対応付けられた、前記データセンターの少なくとも１つの仮想モデルを記述するように操作可能な識別情報を含む、
データセンター電力コネクタ。
【請求項２】
前記導体は、直流電力を通すように構成された直流電気導体を含む、請求項１に記載のデータセンター電力コネクタ。
【請求項３】
前記直流電力は、１０００ボルト未満の電圧の直流電力を含む、請求項２に記載のデータセンター電力コネクタ。
【請求項４】
前記導体は、６００ボルト未満の電圧の交流電力を通すように構成された交流電気導体を含む、請求項１〜３のいずれかに記載のデータセンター電力コネクタ。
【請求項５】
前記送電線通信用導体は、ＣＡＮバス，ＤＣ−ＬＩＮ（ＬＩＮ−ｂｕｓ  ｏｖｅｒ  ｐｏｗｅｒ  ｌｉｎｅ）、ＤＣ−ＢＵＳ、ＬｏｎＷｏｒｋｓ、またはＳＡＥ  Ｊ１７７２規格の送電線通信用導体のうちの１つを含む、請求項１〜４のいずれかに記載のデータセンター電力コネクタ。
【請求項６】
前記導体は、前記導管の中において連結されたデュアル導体を含み、
前記デュアル導体の一方は電力を送電するように構成され、前記デュアル導体の他方はデータを伝送するように構成される、請求項１〜５のいずれかに記載のデータセンター電力コネクタ。
【請求項７】
前記識別データは、前記複数の電子装置のうちの特定の電子装置の名前、型番、または製造番号のうちの少なくとも１つと、前記複数のラックのうち、前記複数の電子装置の少なくとも一部を支持する特定のラックのラック名称または名前のうちの少なくとも１つとを含む、請求項１〜６のいずれかに記載のデータセンター電力コネクタ。
【請求項８】
前記導体は、１０００ボルト未満の電圧の直流電力を通すように構成された直流電気導体を含み、または、前記導体は、６００ボルト未満の電圧の交流電力を通すように構成された交流電気導体を含み、
前記送電線通信用導体は、ＣＡＮバス、ＤＣ−ＬＩＮ（ＬＩＮ−ｂｕｓ  ｏｖｅｒ  ｐｏｗｅｒ  ｌｉｎｅ）、ＤＣ−ＢＵＳ、ＬｏｎＷｏｒｋｓ、またはＳＡＥ  Ｊ１７７２規格の送電線通信用導体のうちの１つを含み、
前記データは、前記複数の電子装置のうちの特定の電子装置の名前、型番、または製造番号のうちの少なくとも１つと、前記複数のラックのうち、前記複数の電子装置の少なくとも一部を支持する特定のラックのラック名称または名前のうちの少なくとも１つとを含む、請求項１〜７のいずれかに記載のデータセンター電力コネクタ。
【請求項９】
データセンターの主電力供給源に電気的に連結されたデータセンター電力制御システムを含み、前記データセンター電力制御システムは、少なくとも１つのプロセッサと、命令を格納した少なくとも１つのメモリとを含み、さらに、
前記データセンター電力制御システムに通信可能および電気的に連結された複数の電力コネクタを含み、
前記複数の電力コネクタの各々は、電力導体を含み、前記電力導体は、（ｉ）前記データセンターの、人が使用できる作業空間に配備されたラックに取り付けられた複数の電子装置に前記主電力供給源からの電力と、（ｉｉ）前記複数の電子装置と前記データセンター電力制御システムとの間でデータと、を送るように構成されており、
前記複数の電力コネクタの各々は、送電線通信用導体を含み、
前記命令は、前記少なくとも１つのプロセッサによって実行されると、前記少なくとも１つのプロセッサに動作を実行させ、前記動作は、
前記複数の電子装置に対応付けられた識別情報を含むデータを前記電力導体を介して前記複数の電子装置から受信することと、
前記受信した識別情報の少なくとも一部に基づいて前記データセンターの少なくとも１つの仮想モデルを生成することとを含む、データセンター電力接続システム。
【請求項１０】
前記識別情報は、前記複数の電子装置のうちの特定の電子装置の名前、型番、または製造番号のうちの少なくとも１つを含む、請求項９に記載のデータセンター電力接続システム。
【請求項１１】
前記識別情報は、前記複数のラックのうち、前記複数の電子装置の少なくとも一部を支持する特定のラックのラック名称または名前のうちの少なくとも１つを含む、請求項９に記載のデータセンター電力接続システム。
【請求項１２】
前記複数の仮想モデルのうちの１つは、地理的トポロジーモデルを含み、
前記受信した識別情報の少なくとも一部に基づいて前記データセンターの少なくとも１つの仮想モデルを生成することは、
前記複数のラックのラックごとに、
前記人が使用できる作業空間における前記ラックの地理的位置を判断することと、
前記受信した識別情報の少なくとも一部に基づいて、前記複数の電子装置の一部を前記ラックに割り当てることと、
判断された前記ラックの地理的位置を前記割り当てられた電子装置の一部に割り当てることと、
によって前記地理的トポロジーモデルを生成することを含む、請求項９〜１１のいずれかに記載のデータセンター電力接続システム。
【請求項１３】
前記複数の仮想モデルのうちの１つは、冷却トポロジーモデルを含み、
前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数の冷却ドメインのうち、前記ラックの地理的位置に対応付けられた冷却ドメインを判断することと、
前記判断された冷却ドメインに前記ラックを割り当てることと、
によって前記冷却トポロジーモデルを生成することを含み、
前記冷却ドメインは、前記ラックで支持される前記電子装置を冷却するように動作する少なくとも１つの冷却装置を含む、請求項９〜１１のいずれかに記載のデータセンター電力接続システム。
【請求項１４】
前記複数の仮想モデルのうちの１つは、電力トポロジーモデルを含み、
前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数のパワードメインのうち、前記ラックの地理的位置に対応付けられたパワードメインを判断することと、
前記判断されたパワードメインに前記ラックを割り当てることと、
によって前記電力トポロジーモデルを生成することを含み、
前記パワードメインは、前記ラックで支持される前記電子装置に電力を送電するように動作する少なくとも１つの電力装置を含む、請求項９〜１１のいずれかに記載のデータセンター電力接続システム。
【請求項１５】
前記複数の仮想モデルのうちの１つは、ネットワークトポロジーモデルを含み、
前記受信した識別情報の少なくとも一部に基づいて前記データセンターの少なくとも１つの仮想モデルを生成することは、
前記複数のラックのラックごとに、
前記受信した識別情報の少なくとも一部に基づいて、前記人が使用できる作業空間における前記ラックの地理的位置を判断することと、
前記データセンターの複数のネットワークドメインのうち、前記ラックの地理的位置に対応付けられたネットワークドメインを判断することと、
前記判断されたネットワークドメインに前記ラックを割り当てることと、
によって前記ネットワークトポロジーモデルを生成することを含み、
前記ネットワークドメインは、前記ラックで支持される前記電子装置を前記データセンターのネットワークに通信可能に連結するように動作する少なくとも１つのネットワーク装置を含む、請求項９〜１１のいずれかに記載のデータセンター電力接続システム。
【請求項１６】
前記受信したデータは、第１時刻に前記電力導体を通して前記複数の電子装置から受信したデータを含み、
前記動作は、
前記複数の電子装置から、前記電力導体を介して、前記複数の電子装置に対応付けられた更新された識別情報を含む追加データを前記第１時刻の後の第２時刻に受信することと、
前記受信した更新された識別情報の少なくとも一部に基づいて、前記データセンターの前記少なくとも１つの仮想モデルを更新することとをさらに含む、請求項９〜１５のいずれかに記載のデータセンター電力接続システム。
【請求項１７】
データセンターの電子装置に電力を提供するための方法であって、
データセンターの電力制御システムを通して、複数の送電線通信用電力コネクタを前記データセンターの電力供給源に電気的に連結するステップと、
前記複数の送電線通信用電力コネクタのそれぞれの送電線通信用導体を通して、前記電力供給源からの電力を前記データセンターの複数の電子装置に送電するステップと、
前記それぞれの送電線通信用導体を通して、データを前記複数の電子装置から前記電力制御システムに伝送するステップとを含み、前記データは、前記複数の電子装置に対応付けられた識別情報を含み、さらに、
前記電力制御システムの少なくとも１つのハードウェアプロセッサを用いて、前記識別情報の少なくとも一部に基づいて前記データセンターの少なくとも１つの仮想モデルを生成するステップを含み、
前記それぞれの送電線通信用導体の各々は、前記電力供給源からの電力を前記複数の電子装置の少なくとも一部に送電するように構成され、前記それぞれの送電線通信用導体の各々は、前記複数の電子装置の一部から前記電力制御システムにデータを伝送するように構成される、方法。
【請求項１８】
前記電力供給源は、直流電力の供給源を含み、前記送電された電力は、直流電力を含む、請求項１７に記載の方法。
【請求項１９】
前記少なくとも１つの仮想モデルは、地理的トポロジーモデルを含み、前記方法は、
前記人が使用できる作業空間の複数のラックの各々の地理的位置を判断するステップと、
前記受信した識別情報の少なくとも一部に基づいて、前記複数の電子装置の一部を各ラックに割り当てるステップと、
判断された前記ラックの地理的位置を前記割り当てられた電子装置の一部に割り当てるステップとをさらに含む、請求項１７または１８に記載の方法。
【請求項２０】
前記少なくとも１つの仮想モデルは、冷却トポロジーモデルを含み、前記方法は、
前記識別情報の少なくとも一部に基づいて前記人が使用できる作業空間の複数のラックの各々の地理的位置を判断するステップと、
前記データセンターの複数の冷却ドメインのうち、各ラックの前記地理的位置に対応付けられた冷却ドメインを判断するステップと、
前記判断された冷却ドメインに前記ラックを割り当てるステップとをさらに含み、
前記冷却ドメインは、前記ラックで支持される前記電子装置を冷却するように動作する少なくとも１つの冷却装置を含む、請求項１７〜１９のいずれかに記載の方法。
【請求項２１】
前記少なくとも１つの仮想モデルは、電力トポロジーモデルを含み、前記方法は、
前記識別情報の少なくとも一部に基づいて前記人が使用できる作業空間の複数のラックの各々の地理的位置を判断するステップと、
前記データセンターの複数のパワードメインのうち、各ラックの前記地理的位置と対応付けられたパワードメインを判断するステップと、
前記判断されたパワードメインに前記ラックを割り当てるステップとをさらに含み、
前記パワードメインは、前記ラックで支持される前記電子装置に前記電力を送電するように動作する少なくとも１つの電力装置を含む、請求項１７〜１９のいずれかに記載の方法。
【請求項２２】
前記少なくとも１つの仮想モデルは、ネットワークトポロジーモデルを含み、前記方法は、
前記識別情報の少なくとも一部に基づいて前記人が使用できる作業空間の複数のラックの各々の地理的位置を判断するステップと、
前記データセンターの複数のネットワークドメインのうち、各ラックの前記地理的位置に対応付けられたネットワークドメインを判断するステップと、
前記判断されたネットワークドメインに前記ラックを割り当てるステップとをさらに含み、
前記ネットワークドメインは、前記ラックで支持される前記電子装置を前記データセンターのネットワークに通信可能に連結するように動作する少なくとも１つのネットワーク装置を含む、請求項１７〜１９のいずれかに記載の方法。
【請求項２３】
前記複数の電力コネクタの各々は、
前記データセンターの前記複数の電子装置の少なくとも一部に前記電力供給源からの電力を送電するように構成された第１導体と、
前記複数の電子装置の一部から前記電力制御システムにデータを伝送するように構成された第２導体とを含む、請求項１７〜２２のいずれかに記載の方法。
【請求項２４】
前記少なくとも１つの仮想モデルは、地理的トポロジーモデルと、冷却トポロジーモデルと、電力トポロジーモデルと、ネットワークトポロジーモデルとを含む複数の仮想モデルを含み、前記方法は、
前記識別情報の少なくとも一部に基づいて前記人が使用できる作業空間の複数のラックの各々の地理的位置を判断するステップと、
前記受信した識別情報の少なくとも一部に基づいて、前記複数の電子装置の一部を各ラックに割り当てるステップと、
判断された前記ラックの地理的位置を前記割り当てられた電子装置の一部に割り当てるステップと、
前記データセンターの複数の冷却ドメインのうち、各ラックの前記地理的位置に対応付けられた冷却ドメインを判断するステップと、
前記判断された冷却ドメインに前記ラックを割り当てるステップとをさらに含み、前記冷却ドメインは、前記ラックで支持される前記電子装置を冷却するように動作する少なくとも１つの冷却装置を含み、
前記データセンターの複数のパワードメインのうち、各ラックの前記地理的位置と対応付けられたパワードメインを判断するステップと、
前記判断されたパワードメインに前記ラックを割り当てるステップとをさらに含み、前記パワードメインは、前記ラックで支持される前記電子装置に前記電力を送電するように動作する少なくとも１つの電力装置を含み、
前記データセンターの複数のネットワークドメインのうち、各ラックの前記地理的位置に対応付けられたネットワークドメインを判断するステップと、
前記判断されたネットワークドメインに前記ラックを割り当てるステップとをさらに含み、
前記ネットワークドメインは、前記ラックで支持される前記電子装置を前記データセンターのネットワークに通信可能に連結するように動作する少なくとも１つのネットワーク装置を含む、請求項１７〜１９のいずれかに記載の方法。
【外国語明細書】
2020124110000001.pdf